(57)【要約】  本発明は、たとえば、多目的部屋などの部屋の壁部または天井などのような、境界部（１１）をカバーするように構成されている、可変の音響特性を有するモジュールであって、部屋では、それぞれの特定の使用にしたがって、部屋の音響特性、たとえば、残響時間などを変化させることが可能でなければならず、モジュール（２）は、１つまたは複数の貫通開口部（６）を設けられたフロント・フェイス（４、５５、６１、６２、７０、７５、８７）を有しており、貫通開口部（６）を通って、音響エネルギーは、モジュール（２）の内側領域（３）に進入することが可能であり、モジュール（２）は、内側領域（３）の中に、音響吸収デバイス（１２；３８、３９）を含み、音響吸収デバイス（１２；３８、３９）は、フロント・フェイス（４）の中の貫通開口部（６）と音響的に連通しており、音響エネルギーが、モジュールの外側の外部領域またはスペース（７）から前記音響吸収デバイスへ通ることができるようになっており、貫通開口部（６）は閉鎖され得り、音響エネルギーが音響吸収デバイス（１２；３８、３９）に進入することができないようになっており、また、貫通開口部（６）は開放され得り、音響エネルギーが音響吸収デバイス（１２；３８、３９）に進入することができるようになっており、前記外部領域またはスペース（７）に面するフロント・フェイス（４）の表面は、被覆シート（８）によってカバーされており、被覆シート（８）は、貫通開口部（６）が開放状態になっているときに、音響エネルギーがシート（８）を通っておよび貫通開口部（６）を通って音響吸収デバイス（１２；３８、３９）に進入することが可能であるように構成されている、モジュールに関する。そのうえ、本発明は、そのようなモジュールのシステムに関し、また、モジュールまたはシステムがその中に据え付けられる部屋の残響時間を変化させるための方法に関し、また、モジュールの最適な性能を取得するのにとりわけ有利な、モジュールのための開／閉メカニズムに関する。
2020520483.tif 000002
【特許請求の範囲】
【請求項１】
たとえば、多目的部屋などの部屋の壁部または天井などのような、境界部（１１）をカバーするように構成されている、可変の音響特性を有するモジュールであって、前記部屋では、それぞれの特定の使用にしたがって、前記部屋の前記音響特性、たとえば、前記残響時間などを変化させることが可能でなければならず、前記モジュールは、１つまたは複数の貫通開口部（６）を設けられたフロント・フェイス（４、５５、６１、６２、７０、７５、８７）を有しており、前記貫通開口部（６）を通って、音響エネルギーは、前記モジュールの内側領域（３）に進入することが可能であり、前記モジュールは、前記内側領域（３）の中に、音響吸収デバイス（１２；３８、３９、９５）を含み、前記音響吸収デバイス（１２；３８、３９、９５）は、前記フロント・フェイス（４）の中の前記貫通開口部（６）と音響的に連通しており、音響エネルギーが、前記モジュールの外側の外部領域またはスペース（７）から前記音響吸収デバイスへ通ることができるようになっており、前記貫通開口部（６）は閉鎖され得り、音響エネルギーが前記貫通開口部を介して前記音響吸収デバイス（１２；３８、３９、９５）に進入することができないようになっており、また、前記貫通開口部（６）は開放され得り、音響エネルギーが前記貫通開口部を介して前記音響吸収デバイス（１２；３８、３９、９５）に進入することができるようになっており、前記フロント・フェイスは、閉鎖部材およびリテイニング・メカニズムを含む開／閉メカニズムを設けられており、前記リテイニング・メカニズムは、前記モジュールが閉鎖状態になっているときに、前記閉鎖部材を実質的に前記貫通開口部の周囲部全体と接触した状態に維持するように構成されている、モジュール。
【請求項２】
前記開／閉メカニズムは、前記フロント・フェイスの平らな外部表面またはフロント表面を維持するように構成されており、前記外部表面またはフロント表面は、前記開／閉メカニズムのすべての状態において、前記外部領域またはスペース（７）に面しており、それによって、前記フロント・フェイスの前記外側表面の上に、または、前記フロント・フェイスの前記外側表面の付近に、被覆シートを取り付けることが可能になっている、請求項１に記載のモジュール。
【請求項３】
前記外部領域またはスペース（７）に面する前記フロント・フェイス（４）の前記外部表面またはフロント表面は、被覆シート（８）によってカバーされており、前記被覆シート（８）は、前記貫通開口部（６）が前記開放状態になっているときに、音響エネルギーが前記シート（８）を通っておよび前記貫通開口部（６）を通って前記音響吸収デバイス（１２；３８、３９）に進入することが可能であるように構成されている、請求項２に記載のモジュール。
【請求項４】
前記被覆シート（８）は、少なくとも前記フロント・フェイス（４）の中の前記貫通開口部（６）をカバーする前記被覆シート（８）の領域に穿孔を設けられた化粧板またはフォイルから作製されている、請求項３に記載のモジュール。
【請求項５】
前記被覆シート（８）は、少なくとも低い周波数において実質的に音響透過性のファブリックである、請求項３に記載のモジュール。
【請求項６】
中間シートまたはパネルが、前記フロント・フェイス（４）と前記被覆シート（８）との間に設けられており、前記中間シートまたはパネルは、少なくとも、前記モジュールが前記開放状態になっているときに音響吸収が望まれる低周波数領域において、少なくとも、前記フロント・フェイス（４）の中の前記貫通開口部（６）に対応する前記中間シートまたはパネルの領域において、音響的に透過性になっている、請求項３から５のいずれか一項に記載のモジュール。
【請求項７】
前記モジュールは、開／閉メカニズムを含み、前記開／閉メカニズムは、前記貫通開口部（６）の実質的に音響的に緊密な閉鎖を取得するように構成されており、前記メカニズムは、第１および第２の閉鎖面を含み、前記メカニズムは、前記第１および第２の閉鎖面が互いに接触しているときに、前記貫通開口部（６）を閉鎖し、前記第１および第２の接触面が互いに接触していないときに、前記貫通開口部（６）を開放するように構成されている、請求項１から６のいずれか一項に記載のモジュール。
【請求項８】
前記第１の閉鎖面または前記第２の閉鎖面のうちの少なくとも１つは、磁気的な手段を設けられており、前記磁気的な手段は、前記メカニズムが前記閉鎖状態に持って行かれるときには、前記第１の閉鎖面を前記第２の閉鎖面に付勢するように構成されている、請求項７に記載のモジュール。
【請求項９】
前記第１の閉鎖面は、永久磁石材料を含み、前記第２の閉鎖面は、前記第１の閉鎖面の前記磁気材料によって引き付けられ得る材料から作製されている、請求項８に記載のモジュール。
【請求項１０】
前記第１の接触面は、電磁石を設けられており、前記第２の接触面は、前記第１の接触面の前記電磁石によって引き付けられ得る材料から作製されている、請求項８に記載のモジュール。
【請求項１１】
開閉するための前記手段は、アクチュエーターまたはモーター手段（１８、１９）を含み、前記アクチュエーターまたはモーター手段（１８、１９）は、前記貫通開口部（６）を開閉するための手段（９、１５、１６、１７）に動作可能に接続されており、前記アクチュエーターまたはモーター手段（１８、１９）は、ユーザー・インターフェース（３２）からユーザーによって遠隔制御され得る、請求項１から１０のいずれか一項に記載のモジュール。
【請求項１２】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・プレート（５５）は、前記第２の閉鎖面（５５’）を設けられている、請求項１に記載のモジュール。
【請求項１３】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項１２に記載のモジュール。
【請求項１４】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項１３に記載のモジュール。
【請求項１５】
前記枢動軸棒（５９）の反対側の縁部部分において、または、前記枢動軸棒における縁部部分において、前記第１の閉鎖面は、弾性リテイニング手段を設けられており、前記弾性リテイニング手段は、機械的な過剰決定なしに、前記第１の閉鎖面に対して固定関係にある状態に前記第２の閉鎖面を維持するように構成されている、請求項１３に記載のモジュール。
【請求項１６】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項７に記載のモジュール。
【請求項１７】
前記スライディング・プレート部材（６３）は、前記移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記移動（Ｂ）の方向に対して垂直方向に延在しており、前記スライディング・プレート部材（６３）の１つのレッグ部分（６３’）が、前記フロント・プレートの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記第１のレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応する前記レッグ部分（６２’）と実質的に接触しており、それによって、前記フロント・フェイス（６１、６２）の中の前記貫通開口部（６）が、実質的に閉鎖されている、請求項１６に記載のモジュール。
【請求項１８】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項１６または１７に記載のモジュール。
【請求項１９】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項７に記載のモジュール。
【請求項２０】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項１９に記載のモジュール。
【請求項２１】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項２０に記載のモジュール。
【請求項２２】
前記開／閉手段は、前記開放状態と前記閉鎖状態との間で前記開／閉メカニズムを移動させるように構成されているアクチュエーター手段または他の適切な手段、たとえば、電気モーターなどを含む、請求項７から２１のいずれか一項に記載のモジュール。
【請求項２３】
前記音響吸収デバイス（１２；３８、３９）は、好ましくは、少なくとも１０００Ｈｚを下回る周波数において、中間周波数音響エネルギーおよび低周波数音響エネルギーを吸収するように構成されている、請求項１から２２のいずれか一項に記載のモジュール。
【請求項２４】
前記フロント・フェイス（８７）は、前記フロント・フェイス（８７）の一体部として設けられた複数の貫通開口部（８８）を含む、請求項１から２３のいずれか一項に記載のモジュール。
【請求項２５】
前記フロント・フェイス（８７）は、磁力によって引き付けられ得る材料から作製されている、請求項２４に記載のモジュール。
【請求項２６】
前記フロント・フェイスは、スチールなどのような金属から作製されている、請求項２４または２５に記載のモジュール。
【請求項２７】
前記フロント・フェイス（８７）の厚さｔは、４ｍｍよりも小さくなっており、好ましくは、３ｍｍよりも小さくなっている、請求項２４から２６のいずれか一項に記載のモジュール。
【請求項２８】
前記フロント・フェイス（４）は、複数のスラット（５）を含み、前記貫通開口部（６）が、隣接するスラット（５）同士の間に設けられている、請求項１から２７のいずれか一項に記載のモジュール。
【請求項２９】
前記スラット（５）は、スチールなどのような金属から作製されている、請求項２８に記載のモジュール。
【請求項３０】
前記スラット（５）の厚さｔは、４ｍｍよりも小さくなっており、好ましくは、３ｍｍよりも小さくなっている、請求項２８または２９に記載のモジュール。
【請求項３１】
前記スラット（５）は、実質的に平面になっているフロント・フェイス（５’）を有している、請求項２８から３０のいずれか一項に記載のモジュール。
【請求項３２】
前記フロント・フェイス（４）は、取り付け手段を設けられており、前記取り付け手段は、前記シート（８）、前記中間シート、または、前記シート（８）を設けられたパネルを、前記モジュール（２）の前記フロント・フェイス（４）に取り付けるように構成されており、それによって、前記シート（８）、前記中間シート、または、前記シート（８）を設けられたパネルは、前記モジュール（２）が部屋またはホールの境界部の上に装着された後に、前記モジュール（２）に取り付けられ得る、請求項１から３１のいずれか一項に記載のモジュール。
【請求項３３】
前記フロント・フェイスとともに前記モジュールの前記内側領域を画定する前記モジュールの側面は、プレート・エレメント（９６、９７、９８、９９）によって閉鎖され、前記周囲（７）の中の音響的エネルギーが、前記開／閉メカニズムおよび前記音響吸収デバイス（１２）を含有する前記モジュールの前記内部スペース（３）に到達することを防止する、請求項１から３２のいずれか一項に記載のモジュール。
【請求項３４】
複数の貫通開口部を含むフロント・フェイスであって、前記貫通開口部が開放状態になっているときに、音響エネルギーが、前記貫通開口部を通過することが可能であり、前記フロント・フェイスは、前記貫通開口部を開閉するように構成されている開／閉メカニズムを設けられており、前記開／閉メカニズムは、閉鎖部材およびリテイニング・メカニズムを含み、前記リテイニング・メカニズムは、前記モジュールが閉鎖状態になっているときに、前記閉鎖部材を実質的に前記貫通開口部の周囲部全体と接触した状態に維持するように構成されている、フロント・フェイス。
【請求項３５】
前記開／閉メカニズムは、前記フロント・フェイスの前記外部表面またはフロント表面から離れる内向き方向に開くように構成されており、前記開／閉メカニズムのすべての状態において、前記外部領域またはスペース（７）に面する前記フロント・フェイスの平らなまたは切れ目のない外部表面を維持するようになっている、請求項３４に記載のフロント・フェイス。
【請求項３６】
前記開／閉メカニズムは、前記貫通開口部（６）の実質的に音響的に緊密な閉鎖を取得するように構成されており、前記メカニズムは、第１および第２の閉鎖面を含み、前記メカニズムは、前記第１および第２の閉鎖面が互いに接触しているときに、前記貫通開口部（６）を閉鎖し、前記第１および第２の接触面が互いに接触していないときに、前記貫通開口部（６）を開放するように構成されている、請求項３５に記載のフロント・フェイス。
【請求項３７】
前記第１の閉鎖面または前記第２の閉鎖面のうちの少なくとも１つは、磁気的な手段を設けられており、前記磁気的な手段は、前記メカニズムが前記閉鎖状態に持って行かれるときには、前記第１の閉鎖面を前記第２の閉鎖面に付勢するように構成されている、請求項３６に記載のフロント・フェイス。
【請求項３８】
前記第１の閉鎖面は、永久磁石材料を含み、前記第２の閉鎖面は、前記第１の閉鎖面の前記磁気材料によって引き付けられ得る材料から作製されている、請求項３７に記載のフロント・フェイス。
【請求項３９】
前記第１の接触面は、電磁石を設けられており、前記第２の接触面は、前記第１の接触面の前記電磁石によって引き付けられ得る材料から作製されている、請求項３７に記載のフロント・フェイス。
【請求項４０】
開閉するための前記手段は、アクチュエーターまたはモーター手段（１８、１９）を含み、前記アクチュエーターまたはモーター手段（１８、１９）は、前記貫通開口部（６）を開閉するための手段（９、１５、１６、１７）に動作可能に接続されており、前記アクチュエーターまたはモーター手段（１８、１９）は、ユーザー・インターフェース（３２）からユーザーによって遠隔制御され得る、請求項３５から３９のいずれか一項に記載のフロント・フェイス。
【請求項４１】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・プレート（５５）は、前記第２の閉鎖面（５５’）を設けられている、請求項３５から４０のいずれか一項に記載のフロント・フェイス。
【請求項４２】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項４１に記載のフロント・フェイス。
【請求項４３】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項４１に記載のフロント・フェイス。
【請求項４４】
前記枢動軸棒（５９）の反対側の縁部部分において、前記第１の閉鎖面は、弾性リテイニング手段を設けられており、前記弾性リテイニング手段は、前記第１の閉鎖面に対して固定関係にある状態に前記第２の閉鎖面を維持するように構成されている、請求項４１に記載のフロント・フェイス。
【請求項４５】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項３５から４０のいずれか一項に記載のフロント・フェイス。
【請求項４６】
前記スライディング・プレート部材（６３）は、前記移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記移動（Ｂ）の方向に対して垂直方向に延在しており、前記スライディング・プレート部材（６３）の１つのレッグ部分（６３’）が、前記フロント・プレートの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記第１のレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応す前記るレッグ部分（６２’）と実質的に接触しており、それによって、前記フロント・フェイス（６１、６２）の中の前記貫通開口部（６）が、実質的に閉鎖されている、請求項４３に記載のフロント・フェイス。
【請求項４７】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項４３または４４に記載のフロント・フェイス。
【請求項４８】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項３５から４０のいずれか一項に記載のフロント・フェイス。
【請求項４９】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項４６に記載のフロント・フェイス。
【請求項５０】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項４６に記載のフロント・フェイス。
【請求項５１】
前記開／閉手段は、前記開放状態と前記閉鎖状態との間で前記開／閉メカニズムを移動させるように構成されているアクチュエーター手段を含む、請求項４６から４８のいずれか一項に記載のフロント・フェイス。
【請求項５２】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項１から２８のいずれか一項に記載の複数のモジュール（Ｍ１、Ｍ２、…Ｍ１０）を含み、個々の前記モジュール（Ｍ１、Ｍ２、…Ｍ１０）は、制御ユニット（３１）と通信しており、前記制御ユニット（３１）が、個々の前記モジュールの対応する開／閉メカニズムを制御することによって、それぞれの個々のモジュールの中の前記貫通開口部（６）の開／閉を制御することができるようになっている、システム。
【請求項５３】
前記システムは、前記制御ユニット（３１）と機能的に通信しているユーザー・インターフェース（３２）を含み、それによって、前記モジュールＭ１からＭ１０がその中に設けられている前記部屋の前記残響時間が、前記モジュールのそれぞれの個々を開／閉することによって、ユーザーによって制御され得る、請求項５２に記載のシステム。
【請求項５４】
前記システムは、電子メモリー（３７）を含み、それぞれの個々のモジュールの対応するセッティング（開／閉状態）が、たとえば、取得された前記残響時間が最適であるとみなされた性能の種類の説明とともに、前記電子メモリー（３７）の中に記憶され得る、請求項５２または５３に記載のシステム。［請求項３０］  照明手段が、前記貫通開口部の中に、または、前記音響吸収デバイスの内側に設けられており、前記照明手段によって放出される光が、前記システムがその中に据え付けられている前記部屋から見られ得るようになっており、それによって、前記システムの中で使用される個々の前記モジュールの状態を示す、請求項２７から２９のいずれか一項に記載のシステム。
【請求項５５】
前記システムは、少なくとも２つのモジュールを含み、それぞれの前記開／閉メカニズムは、互いに機能的に接続されており、単一のアクチュエーターが、前記開放状態と前記閉鎖状態との間で、前記少なくとも２つのモジュールの前記開／閉メカニズムを駆動することができるようになっている、請求項５２から５４のいずれか一項に記載のシステム。
【請求項５６】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項３０から４５のいずれか一項に記載の複数のフロント・フェイスを含み、前記システムは、前記フロント・フェイスの中の前記貫通開口部と音響的に連通している１つまたは複数の音響吸収デバイスをさらに含む、システム。
【請求項５７】
前記音響吸収デバイスは、たとえば、ミネラル・ウールまたは他の音響吸収多孔性の材料の１つまたは複数の音響吸収バットである、請求項５６に記載のシステム。
【請求項５８】
前記音響吸収デバイス、たとえば、ミネラル・ウールのバットなどは、部屋の選ばれた境界部の上に事前に据え付けられている、請求項５６または５７に記載のシステム。
【請求項５９】
少なくとも低い周波数において、部屋の前記残響時間を変更するための方法であって、前記残響時間が変更されているときに、それによって、前記部屋の外観を変化させることのないようになっており、前記方法は、
−  請求項１から２９のいずれか一項に記載の複数のモジュール、または、請求項４６から５１のいずれか一項に記載のシステムを提供するステップと、
−  前記モジュールまたはシステムを前記部屋の１つまたは複数の境界部に取り付けるステップと、
−  個々のモジュール、フロント・フェイス、または、モジュールもしくはフロント・フェイスのシステムの状態（開／閉）を変化させるステップ、および、前記部屋の対応する前記残響時間を決定するステップと、
−  必要とされる残響時間が取得されるときに、個々の前記モジュールの対応する前記状態（開／閉）を維持するステップと
を含む、方法。
【請求項６０】
前記方法は、前記部屋のそれぞれの特定の使用に対応する個々の前記モジュールの決定された前記セッティングをメモリー手段（３７）の中に記憶するステップをさらに含む、請求項５９に記載の方法。
【請求項６１】
音響エネルギー連通通路の実質的に音響不透過性の閉鎖を提供するための開／閉メカニズムであって、前記通路は、たとえば、部屋またはホールの可変の音響性、たとえば、残響時間などを提供するデバイスに、音響エネルギーを提供するように構成されており、前記音響エネルギー連通通路は、実質的に前記通路の断面の周囲部全体に沿って、第１の閉鎖面を設けられており、断面音響エネルギーは、前記通路が開放状態になっているときに、前記通路を通過し、前記開／閉メカニズムは、閉鎖部材を含み、前記閉鎖部材は、前記第１の閉鎖面と重なり合う関係になっている第２の閉鎖面を設けられており、前記第１および第２の閉鎖面が互いに実質的に接触した状態に持って行かれるときに、前記第１および第２の閉鎖面が、前記通路を閉鎖するようになっており、音響エネルギーが前記通路を通過することを実質的に防止されるようになっており、前記開／閉メカニズムは、閉鎖部材リテイニング手段を含み、前記閉鎖部材リテイニング手段は、前記第２の閉鎖面が前記第１の閉鎖面に対して移動することを実質的に防止する、開／閉メカニズム。
【請求項６２】
少なくとも前記第１の閉鎖面または前記第２の閉鎖面は、磁気的な手段（１０５）を設けられており、前記磁気的な手段（１０５）は、前記メカニズムが前記閉鎖状態に持って行かれるときに、前記第１の閉鎖面（１０３）を前記第２の閉鎖面（１０４）に付勢するように構成されている、請求項６１に記載の開／閉メカニズム。
【請求項６３】
前記第１の閉鎖面（１０３）は、永久磁石材料（１０５）を設けられており、前記第２の閉鎖面（１０４）は、前記第１の閉鎖面（１０３）の前記磁気材料（１０５）によって引き付けられ得る材料から作製されている、請求項６２に記載の開／閉手段。
【請求項６４】
前記第２の閉鎖面（１０４）は、永久磁石材料（１０５）を設けられており、前記第１の閉鎖面（１０３）が、前記第２の閉鎖面（１０４）の前記磁気材料（１０５）によって引き付けられ得る材料から作製されている、請求項６２または６３に記載の開／閉手段。
【請求項６５】
前記第１の閉鎖面（１０３）および前記第２の閉鎖面（１０４）の両方が、永久磁石材料（１０５）を設けられている、請求項６２から６４のいずれか一項に記載の開／閉手段。
【請求項６６】
前記磁気材料のうちの少なくとも１つは、電磁石である、請求項６１から６５のいずれか一項に記載の開／閉手段。
【請求項６７】
部屋の中の可変の音響的特質、たとえば、可変の音響吸収、音響反射、および残響時間（ＲＴ）などを提供するデバイスおよびシステムとともに使用するように構成されている開／閉メカニズムの実質的に音響的に緊密な閉鎖を確立するための磁気的な手段の使用。
【発明の詳細な説明】
【技術分野】
【０００１】
本発明は、概して、室内音響学の分野に関し、より具体的には、残響時間がそれぞれの特定の種類のライブ・パフォーマンスに最適化され得るように、さまざまな種類のライブ・パフォーマンスがその中で行われることとなる部屋、公会堂、または他の場所の残響時間を変更するためのデバイス、システム、および方法に関する。
【背景技術】
【０００２】
世界中で、多目的部屋または多目的ホールが使用されており、特に、そのような部屋またはホールに関連して、残響時間がそれぞれの特定の要求にしたがって変化させられ得る場合には、それは大きな利点である。したがって、たとえば、ポップおよびロックなどのような増幅器を用いた音楽（ａｍｐｌｉｆｉｅｄ  ｍｕｓｉｃ）のパフォーマンスは、特に、低い周波数において、比較的に短い残響時間を必要とする可能性があり、一方、クラシック音楽または合唱音楽のパフォーマンスは、可能な限り良好に聴こえるために、より長い残響時間を必要とする可能性がある。
【０００３】
部屋の音響的特質を変更するための手段が、当技術分野で良く知られている。したがって、たとえば、米国特許第８，５７３，３５６Ｂ１号明細書は、音響拡散エレメントおよび音響吸収エレメントを有する調節可能なサウンド・パネルを説明している。パネルは、状態を変化させられ、パネルの前方から適切な音響吸収材料が設けられているパネルの後方へ延在する通路を開放することによって、最大の音響吸収が取得される。パネルのフロント・フェイスは、音響拡散体として構成されており、音響拡散体は、所定のパターンのスラットを含み、隣接するスラット同士の間に開口部を備えている。部屋の中に装着されているときに、部屋の外観は変更されている。
【０００４】
米国特許第９，３２２，１６５Ｂ２号明細書は、動的に調節可能な音響パネル・デバイスを説明しており、そのフロント・フェイスには、音響を拡散する効果を有する複数の比較的に小さい（音響パネル・デバイス全体と比較して）正方形のパネル・エレメントが設けられている。これらの小さいパネルは、軸線の周りにそれぞれ回転させられ得り、それによって、パネル・デバイスは、音響吸収状態に持って行かれ得る。その理由は、回転させられた小さいパネルは、パネル・デバイスの後ろの領域へのサウンド・アクセスを提供し、その中には、適切な音響吸収材料が設けられているからである。上記に引用されている米国特許第８，５７３，３５６Ｂ１号明細書のケースと同様に、パネル・デバイスを設けることは、部屋の中に装着されたときに、部屋の外観を変更する。
【０００５】
米国特許第６，４３１，３１２Ｂ１号明細書は、電動のコンピューター操作される可変の音響処理を説明しており、それは、他の音響的処理から分離されたスペースに位置付けされている複数の音響的処理を含む。音響処理は、回転ユニットを含み、回転ユニットは、モーターによってそれらの個々の軸線の周りに回転させられ得り、モーターは、ユーザー・インターフェースを介してユーザーによって制御され得る。上記に引用されている米国特許第８，５７３，３５６Ｂ１号明細書および米国特許第９，３２２，１６５Ｂ２号明細書のケースと同様に、可変の音響処理を設けることは、部屋の中に装着されたときに、部屋の外観を変更する。
【０００６】
欧州特許第１７７９３７５Ｂ１号明細書は、特に、より低い周波数において、部屋またはホールの残響時間を変更させるためのデバイス、システム、および方法を説明しており、適切な音響的特質を有する膨張可能なボディーを部屋の中に導入することによって、残響時間が変更させられる。残響時間の低減が望まれるときには、ボディーが膨張させられる。この文献に説明されているボディーを部屋の中に設けることは、ほとんどのケースにおいて、それらが照明されていない部屋の領域に設けられているのでなければ、部屋の外観を著しく変更することとなる。
【０００７】
ＤＥ２０２００７００６８７７Ｕ１は、可変の音響学モジュールおよびこれらのグルーピングを説明している。ホールが示されており、ホールは、音響エネルギーが発生させられるステージと、観客エリアとを含む。ホールの境界部は、上述の可変の音響モジュールによってカバーされたエリアを含む。モジュールは、モジュールの外側に枢動可能なプレートを備えて構成されており、枢動可能なプレートが、開放状態と閉鎖状態との間で枢動することができるようになっており、開放状態では、音が、吸収部分に到達することが可能であり、閉鎖状態では、音は、吸収部分に到達することが阻止される。上述の文献に説明されているデバイスのいずれも、音響的に緊密な閉鎖が実現されることを保証する、開／閉プレートのためのリテイニング手段を開示していない。さらに、上述の文献に説明されているデバイスのいずれも、シートがその上に装着され得るフロント・フェイスを開示していない。
【０００８】
コンサート・スペースの音響的可変性は、何十年も求められてきた。ロック・コンサート、チェンバー・ミュージック・コンサート、聖歌隊、または舞台劇などのような、さまざまな種類のプログラム材料は、すべて、同じスペースの中で良く聴こえるために異なる音響学を必要とする。さまざまなタイプの音楽に関して適切な残響時間（ＲＴ）として表現される推奨は、たとえば、Ｂｅｒａｎｅｋ（１９５４）［３］、Ｋｎｕｄｓｅｎ（１９５８）［４］、Ｅｇａｎ（１９８８）［５］、Ｍａｋｒｉｎｅｎｋｏ（１９９４）［６］、Ｌｏｎｇ（２００６）［７］、およびＡｄｅｌｍａｎ−Ｌａｒｓｅｎ（２０１０、２０１８、２０１４）［１、２、８］など、当分野の何人かの著者および研究者によって記述されている。［１］では、ホールを、増幅器を用いた音楽に適切なものにするものは、何よりもまず、低い周波数（特に、１２５Ｈｚであるが、しかし、ある程度では、６３Ｈｚおよび２５０Ｈｚオクターブ・バンドも）におけるかなり低い残響時間であるということが実証された。さらに、［２］では、より高い周波数（いくらか５００Ｈｚを上回る）における残響時間は、増幅器を用いた音楽にはかなり長過ぎる可能性があるということが立証された。
【０００９】
ノルウェー規格団体は、規格ＮＳ  ８１７８の中で、さまざまなタイプの音楽に関して、周波数バンドおよびホールの体積の関数として、残響時間（ＲＴ）に対する推奨を記述している。その規格では、所与のサイズのホールに関して、ＲＴは、周波数バンド１２５Ｈｚから５００Ｈｚにおいて、典型的な舞台芸術センターの中でのチェンバー・ミュージック・セッティングに関するものよりも、ポップ・ミュージックおよびロック・ミュージックに関して、長さがおおよそ半分であるべきであるということが見られる。しかし、今日の多くの舞台芸術センターは、世界中で、この可変性にほぼ到達するということなく、そのような異なるタイプの音楽を週１回の頻度で実際に提供しており、ミュージシャンおよび観客にとって、非最適な音響学を結果として生じさせ、それによって、非最適な音の経験を結果として生じさせる。
【００１０】
述べられているような必要とされるＲＴの大きいバリエーションは、以前には、実現することが可能ではなかった。その理由は、（たとえば、有名なＳａｂｉｎｅの式に見られるような）物理学の法則によれば、これが、可変の音響的手段によってカバーされた非常に長いエリアを必要とするからであり、可変の音響的手段のすべては、１２５Ｈｚバンドを含む重要な周波数バンドにおいて、非常に大きいスパンの可変性を可能にしなければならない。単位面積当たりの可変性スパンは、非吸収性状態と比較された技術の吸収性状態において、吸収係数アルファαの差によって表現され得る。このバリエーションは、デルタ・アルファΔα（αＯＮマイナスαＯＦＦ）と呼ばれ得る。
【００１１】
以前は、可変の音響学デバイスは、主に、中間から高い周波数において活性的であり、低い周波数ではそれほどでもなかった。２０１８（Ａｐｐｌｉｅｄ  Ａｃｏｕｓｔｉｃｓ、［参考文献２］）からのＡｄｅｌｍａｎ−Ｌａｒｓｅｎの科学的な記事では、これは適切でないということが示されている。可変性は、１２５Ｈｚオクターブ・バンドに焦点を合わせるべきであり、６３Ｈｚから１ｋＨｚにおいて、すなわち、低い周波数および中間の周波数において、最も活性的であるべきであり、いくらか１ｋＨｚの上ではわずかな吸収だけを伴う。
【００１２】
さらに、観客、ホール・オーナー、または建築家などのような利害関係者は、ホールのインテリア・デザインが、非常に大きい表面積の上のロール・バーナーなどのような、視覚的に傷つける可変の音響デバイスの存在によって非常に影響を与えられるということを進んで受け入れるということが仮定されることはできない。したがって、「見ることができない」可変の音響学デバイスが望ましいこととなる。
【００１３】
上記の背景において、部屋またはホールの中で使用されることとなる可変の音響技術へのアクセスを有することが望ましいこととなり、その技術は、音響技術の音響的特質が変更されているときに、それによって部屋またはホールの外観を変更することなく、部屋またはホールの音響的特質、特に、残響時間を変更することが可能である。この技術は、好ましくは、既存の部屋またはホールのインテリア・デザインへの容易な一体化、ならびに、部屋およびホールの新しい構築への容易な一体化を可能にするように構成されているべきである。
【００１４】
大きいエリアが、すでに述べられている大きい可変性を取得するために使用されなければならないので、音響技術が天井（水平方向の）表面および壁部（垂直方向の）表面の両方の上に装着され得る場合には、それがさらなる利点になることとなる。
【発明の概要】
【発明が解決しようとする課題】
【００１５】
上記の背景において、本発明の目的は、たとえば（しかし、決してそれに限定されない）、音楽が演奏されるコンサート・ホールまたは他の部屋、劇場、映画館、および多目的部屋または多目的ホールなど、部屋および公会堂などの中の残響時間を変化させるための手段を提供することである。本発明による手段は、少なくとも２つの要件を満たさなければならない。
（１）  本発明による手段は、より高い周波数において、たとえば、１０００Ｈｚをも上回る周波数において、残響時間を変化させることなく、中間のおよび低い周波数において、本発明による手段がその中で使用されている部屋またはホールの残響時間を変化させることを促進させなければならない。本発明の原理によれば、これは、音を吸収する手段を設けられた音響吸収ユニットまたはモジュール（以下では、モジュールと称される）を設けることによって達成され、ここで、中間のおよび低い周波数における音響吸収は、入射音響エネルギーの吸収が実質的にない状態と、入射音響エネルギーの非常に高い吸収の状態との間で変化させられ得る。音響吸収のこの大きいバリエーションは、より低い周波数範囲において、たとえば、５００Ｈｚを下回る周波数において、特に望ましい。しかし、本発明の文脈において述べられている周波数の特定の値は、本発明の保護の範囲を限定するものとみなされるべきではなく、単なる例示的なものとしてみなされるべきであるということが理解される。
【００１６】
したがって、たとえば、音響吸収の最適な周波数範囲は、部屋またはホールの特定の使用に依存して多くの他の要因の間にあり得る。
【００１７】
（２）  本発明による手段は、既存の部屋もしくはホールのいずれかのインテリア・デザインに関与するか、または、その新しい構築に関与する建築家または他の決定者によって幅広く受け入れられ得る審美的な解決策を提供しなければならない。好ましくは、本発明による手段は、既存のまたは新しい部屋またはホールの中に一体化するように構成されなければならない。好ましくは、本発明による手段は、部屋またはホールの中に設けられているときに、たとえば、部屋またはホールの選ばれた境界部部分にわたって延在する、１つまたは複数の外見的に均一なまたは均質の切れ目のない表面を提示しなければならない。したがって、たとえば、多目的ホールの完全な壁部または天井（または、その一部分）は、本発明によるモジュールまたはシステムを備えた壁部を提供した後に、壁部全体もしくは天井全体またはその選ばれた部分にわたって延在する外見的に切れ目のない表面を提示することとなり、また、ホールの中に位置付けされている観察者に対して統一的な外見を有することとなる。本発明によれば、たとえば、部屋またはホールの残響時間を変更することを目標として、本発明による手段によって提供される境界部の音響特性が変更させられるときに、この外見は変化しないこととなる。具体的には、このような事情において、本発明による手段の表面部分の上の単純な手段（たとえば、照明または絵の投影など）によって、たとえば、本発明による手段が設けられている壁部または天井の外観を変化させることができるということが有利である可能性がある。
【課題を解決するための手段】
【００１８】
本発明の第１の態様
本発明の第１の態様は、音響吸収モジュールに関し、モジュールは、２つの音響吸収状態：（ｉ）開放状態および（ｉｉ）閉鎖状態を有しており、（ｉ）開放状態では、モジュールは、少なくとも低周波数領域（低周波数領域のより具体的な定義は、下記に与えられている）において音響エネルギーを吸収し、（ｉｉ）閉鎖状態では、モジュールは、実質的に音響エネルギーを吸収しない。第１の態様によるモジュールは、基本的に、開／閉メカニズムおよび音響吸収デバイスを備えたフロント・フェイスを含む。本発明の第１の態様によるモジュールの実施形態が、図１８に示されている。
【００１９】
上記のおよび他の目的および利点は、本発明の第１の態様にしたがって、たとえば、多目的部屋などの部屋の壁部または天井などのような、境界部をカバーするように構成されている、可変の音響特性を有するモジュールであって、部屋では、それぞれの特定の使用にしたがって、部屋の音響特性、たとえば、残響時間などを変化させることが可能でなければならず、モジュールは、１つまたは複数の貫通開口部を設けられたフロント・フェイスを有しており、貫通開口部を通って、音響エネルギーは、モジュールの内側領域に進入することが可能であり、モジュールは、内側領域の中に、音響吸収デバイスを含み、音響吸収デバイスは、フロント・フェイスの中の貫通開口部と音響的に連通しており、音響エネルギーが、モジュールの外側の外部領域またはスペースから音響吸収デバイスへ通ることができるようになっており、貫通開口部は閉鎖され得り、音響エネルギーが貫通開口部を介して音響吸収デバイスに進入することができないようになっており、また、貫通開口部は開放され得り、音響エネルギーが貫通開口部を介して音響吸収デバイスに進入することができるようになっており、フロント・フェイスは、閉鎖部材およびリテイニング・メカニズムを含む開／閉メカニズムを設けられており、リテイニング・メカニズムは、モジュールが閉鎖状態になっているときに、閉鎖部材を実質的に貫通開口部の周囲部全体と接触した状態に維持するように構成されている、モジュールによって提供される。
【００２０】
モジュールが閉鎖状態から開放状態へ持って行かれることとなるときには、アクチュエーターまたはモーターによって、開／閉メカニズムを介して力が働かされ、開／閉メカニズムは、フロント・フェイスの対応する表面とのその接触から離れるように閉鎖部材を付勢し、それによって、リテイニング・メカニズムは、閉鎖部材の上のその閉鎖グリップを失い、モジュールが開放状態へ持って行かれることができるようになっている。それぞれ、磁気的な手段または機械的な手段を使用するリテイニング・メカニズムのいくつかの実用的な実装形態が、図に示されており、本発明の詳細な説明により詳細に説明されている。
【００２１】
多目的部屋などのような部屋の残響の必要なバリエーションを取得することができるようにするために（それは、本発明の中心的な目的である）、フロント・フェイスが閉鎖状態になっているときに、開／閉メカニズムが、フロント・フェイスの中の貫通開口部の非常に緊密な音響的閉鎖を実際に提供するように設計されているということが本質的である。非常に限られた量の音響エネルギーだけが、低い周波数において、特に、１２５オクターブ・バンドおよび２５０オクターブ・バンドにおいて、フロント・フェイスを通過すること、および、フロント・フェイスの後ろの音響吸収デバイスに到達することを許容される。本発明によれば、これは、実際に、詳細な説明の図８の中に再現されている実際の測定によって示されることとなるように取得される。音響吸収デバイスへの音の進入を効果的に遮断するために、閉鎖メカニズムが十分に上手く機能するように、本発明は、上述のリテイニング手段の適用を提案し、上述のリテイニング手段は、開／閉メカニズムの中で使用される閉鎖手段の第１の閉鎖面が、第２の閉鎖面と接触したままになることを実際に実質的に（または、好ましくは、完全に）保証し、これらの閉鎖面は、好ましくは、フロント・フェイスの中の貫通開口部の周囲部全体に沿って延在している。
【００２２】
モジュールの閉鎖状態において、非常に限られた量の音響エネルギーだけが音響吸収デバイスに到達することを保証する別の（および、補助的な）手段は、高い単位面積当たりの質量を有する、開／閉手段のための（および、フロント・フェイス全体のための）材料を選ぶということである。
【００２３】
第１の態様のある実施形態では、開／閉メカニズムは、開／閉メカニズムのすべての状態において、平らなフロント・フェイスを維持するように構成されており、それによって、フロント・フェイスの外側表面に、または、フロント・フェイスの外側表面の付近に（好ましくは、２ｃｍ未満、さらにより好ましくは、５ｍｍ未満）、音響透過性の被覆シートを取り付けることが可能になっており、フロント・フェイスの外側表面は、外部領域またはスペースに面するモジュールの表面である。
【００２４】
第１の態様のある実施形態では、外部領域またはスペースに面するフロント・フェイスの表面は、被覆シートによってカバーされており、被覆シートは、貫通開口部が開放状態になっているときに、音響エネルギーがシートを通っておよび貫通開口部を通って音響吸収デバイスに進入することが可能であるように構成されている。
【００２５】
第１の態様によるモジュールの実用的な実装形態では、被覆シートが、フロント・フェイスの中の貫通開口部の音響質量と組み合わせて、被覆シートとフロント・フェイスの外側表面との間に形成されるスペース（体積）のヘルムホルツ共鳴器効果を最小化するために、フロント・フェイスの外側表面に可能な限り近くに設けられるということが重要である可能性がある。さらに、影響を最小化するために、フロント・フェイスの閉鎖状態において貫通開口部を充填する手段を備えた開／閉メカニズムを提供することが可能である。そのような手段の実施形態は、本発明の詳細な説明において説明されることとなる。
【００２６】
フロント・フェイスの外側表面の上にまたはその極めて近くに被覆シートを提供することによって取得される別の利点は、シートの中の穿孔によって引き起こされる望まれない音響拡散が最小化され、それによって、モジュールの閉鎖状態における残りの音響吸収が、音響吸収係数のより少ない可変性をもたらすこととなるということである。音響拡散は、部屋の中の残響時間の一定の望まれないより低い値をもたらすこととなる。
【００２７】
本発明によれば、上述の音響吸収デバイスは、ミネラル・ウールのバットまたは他の適切な多孔性の材料であることが可能であるが、音響吸収デバイスは、本発明の文脈において、広く理解されるべきであり、また、比較的に狭い周波数範囲の中で音を吸収するように設計されたヘルムホルツ共鳴器を含む。また、本発明による音響吸収デバイスは、特定の目的のために望まれる場合には、異なる音響吸収デバイスの組み合わせを含むことが可能である。
【００２８】
上述の内側（または、内部）領域は、モジュールと部屋の境界部（たとえ、天井または壁部）の対応する表面部分との間に形成される領域またはスペースであることが可能である。また、内側領域は、下記に説明されている本発明の第２の態様によるシステムの中で使用される複数のモジュールと、モジュールがその中に据え付けられている部屋の境界部の対応する表面部分との間に形成される領域またはスペースであることが可能である。第１および第２の本発明の態様の特定の実施形態では、モジュールは、上述の音響吸収デバイスがその中に設けられる内部スペースを含む別々のエンクロージャーとして構成され得る。したがって、本発明によるモジュールは、別々の物理的なエンティティーであるか、または、（下記に詳細に説明されているような）少なくとも適切に設計されたフロント・フェイス、適切に設計された音響吸収デバイス、および、フロント・フェイスと本発明によるモジュールがその中に据え付けられている部屋の中の境界部の対応する部分との間に形成される領域もしくはスペースを含む組み合わせであるかのいずれかであることが可能である。これの１つの結果として、下記に説明されている実施形態のうちのいくつかによるモジュールは、現地で組み立てられ得り、たとえば、モジュールを形成する構造体の一部分が最初に据え付けられ、その後に、完全なモジュールの残りの部分を提供され得る。
【００２９】
モジュールの外側の外部領域またはスペースは、本発明によるモジュール（もしくは、そのようなモジュールのさまざまなシステム）がその中に設けられる部屋の領域または他のエンクロージャーであり、その外部領域の中で、残響時間は、部屋またはエンクロージャーの異なる特定の使用にしたがって変化させられなければならない。そのような異なる使用は、たとえば、ポップ・ミュージックもしくはロック・ミュージック、クラシック音楽、オペラ、ジャズのライブ・パフォーマンスであることが可能であり、また、公会堂または映画館としての部屋またはエンクロージャーの使用であることが可能である。
【００３０】
いくつかの実施形態では、第１の態様によるモジュールは、基本的に、３つのエンティティー、すなわち、
（１）  フレーム構造体であって、フレーム構造体は、フロント・フェイスおよび音響吸収デバイスを一緒に保持するために使用され得り、フレーム構造体は、モジュールの内側領域を画定し、その内側領域の中に、音響吸収デバイス（または、複数の音響吸収デバイス）が設けられている、フレーム構造体と；
（２）  フロント・フェイスであって、フロント・フェイスは、上述の貫通開口部を設けられており、貫通開口部は、開放状態になっているときに、部屋またはホールの中の音響場から、モジュールの内側領域の中に設けられた１つまたは複数の音響吸収デバイスへ、サウンド・アクセスを提供する、フロント・フェイスと；
（３）  １つまたは複数の音響吸収デバイスであって、１つまたは複数の音響吸収デバイスは、フレーム構造体の内側領域の中に設けられており、フロント・フェイスの中の貫通開口部と音響的に連通している、１つまたは複数の音響吸収デバイスと
を含む。フレームおよびフロント・フェイスを１つの一体化されたユニットとして製造することが可能であるが、実際には、フレームを１つのエンティティーとして提供し、フロント・フェイスを別のエンティティーとして提供することが好適である可能性がある。これは、フレーム構造体が、選ばれた境界部の上に最初に装着され、その後に、フレーム構造体が適切な場所にあるときに、フロント・フェイスをフレーム構造体に取り付けることを可能にする。典型的に、フロント・フェイスは、（モジュールの典型的な寸法および材料の選択肢に関して）約３５ｋｇの重量があることとなり、対応するフレーム構造体は、典型的に、１２ｋｇよりもかなり小さい重量があることとなる。したがって、据え付けの間に、フレーム構造体を１つの別々のエンティティーとして取り扱い、その後に、フロント・フェイスをフレーム構造体に取り付けることは、はるかに容易である。据え付けの間に、本発明の第１の態様によるフロント・パネルが、単一の人によって手動で取り扱われることとなる場合には、フロント・フェイスの重量は、好ましくは、約３０ｋｇを超えるべきではないが、２人であれば、恐らく、最大で約４５ｋｇまでの重量があるフロント・フェイスを手動で取り扱うことができることとなる。
【００３１】
他の実施形態では、第１の態様によるモジュールは、基本的に、以下の４つの物理的なエンティティー、すなわち、（１）貫通開口部を設けられたフロント・フェイスであって、貫通開口部は、適切な開／閉メカニズムによって開閉され得る、フロント・フェイスと；（２）フロント・フェイスの中の貫通開口部と音響的に連通している１つまたは複数の音響吸収デバイスと；（３）フレーム構造体であって、フレーム構造体は、実質的に音響不透過性の側面を含み、実質的に音響不透過性の側面は、フロント・フェイスから延在しており、１つまたは複数の音響吸収デバイスを取り囲んでおり、モジュールが部屋の中に据え付けられているときに、音響エネルギーが、フロント・フェイスの中の貫通開口部のみを介して（これらが開放状態になっているときに）、１つまたは複数の音響吸収デバイスに到達することができるようになっている、フレーム構造体と；（４）モジュールを部屋の境界部に取り付けるように構成されているモジュール取り付け手段とを含む。
【００３２】
側面によって低い周波数における十分な遮音を取得するために、これらは、少なくともフロント・フェイスと同じ単位面積当たりの質量を有するべきであり、好ましくは、おおよそ１５ｋｇ／ｍ２を上回る単位面積当たりの質量を有するべきである。
【００３３】
第１の態様のある実施形態では、上述のモジュール取り付け手段は、実質的にリジッドのフレーム構造体である。
【００３４】
第１の態様のある実施形態では、上述のモジュール取り付け手段は、複数のワイヤーであり、複数のワイヤーは、一方の長手方向の端部において、モジュールに取り付けられており、他方の長手方向の端部において、たとえば、部屋の天井に取り付けられている。
【００３５】
第１の態様のある実施形態では、上述のモジュール取り付け手段は、複数の実質的にリジッドのレッグ部材であり、そのレッグ部材によって、モジュールは、たとえば、部屋の壁部部分に取り付けられ得る。
【００３６】
２〜３箇所の位置のみにおいて（たとえば、フロント・フェイスの長手方向の端部のいずれかにおいて）支持されているフロント・フェイスは、その特定の構成に応じて、膜吸収体として作用する傾向にあることとなり、すなわち、フロント・フェイスは、モジュールがその中に据え付けられている部屋の中に発生させられる音響場によって影響を与えられるので、振動する傾向にあることとなる。フロント・フェイスが膜吸収体として作用することを防止する必要がある場合には、フロント・フェイスは、本発明の詳細な説明に示されているような適切な３次元のプロファイルによって補強され得る。
【００３７】
本発明において適切なフロント・フェイスのさまざまな実装形態が考えられ、これらのうちのいくつかは、本発明の詳細な説明において、より詳細に説明されることとなる。
【００３８】
第１の態様のある実施形態では、フロント・フェイスは、薄い実質的に平面的な金属シートであり、貫通開口部が、このシートの一体部として設けられている。
【００３９】
第１の態様のある実施形態では、フロント・フェイスは、たとえば、Ｌ字プロファイルなどのような補強用プロファイルを実質的に平面的なフロント・フェイスに提供することによって、そのリジッド性（曲げ剛性）を改善するために補強されている。好ましくは、そのようなプロファイルは、モジュールの内側領域に面するフロント・フェイスの表面の上に提供され得る。
【００４０】
第１の態様のある実施形態では、フロント・フェイスは湾曲している。
【００４１】
第１の態様のある実施形態では、照明手段、たとえば、ＬＥＤなどが、貫通開口部の中に設置されており、そのＬＥＤは、たとえば、貫通開口部が開放状態になっているときに、光を放出することが可能である。代替的に、照明手段は、モジュールの内側領域の中に設置され得り、貫通開口部が開放状態になっているときに、貫通開口部を介して見ることができる。
【００４２】
第１の態様のある実施形態では、被覆シートは、少なくとも、フロント・フェイスの中の貫通開口部をカバーする被覆シートの領域において、穿孔を設けられた化粧板またはフォイルを含む材料から作製されている。たとえば、シートは、石膏パネルであることが可能であり、石膏パネルは、モジュールの外側の外部領域に面する表面において、モジュールの貫通開口部の前に適当な開口部を備えた化粧板の層によって提供される。
【００４３】
第１の態様のある実施形態では、被覆シートは、少なくとも低い周波数において実質的に音響透過性のファブリックである。
【００４４】
第１の態様のある実施形態では、中間シートまたはパネルが、フロント・フェイスと被覆シートとの間に設けられており、中間シートまたはパネルは、少なくとも、モジュールが開放状態になっているときに音響吸収が望まれる低周波数領域において、少なくとも、フロント・フェイスの中の貫通開口部に対応する中間シートまたはパネルの領域において、音響的に透過性になっている。
【００４５】
第１の態様のある実施形態では、音響吸収デバイスは、たとえば、音響エネルギーを吸収するミネラル・ウールまたは他の多孔性の材料のバットであり、その材料は、所定の領域の中に提供されており、音波の大きい粒子速度が存在する。
【００４６】
本発明のある実施形態では、音響吸収デバイスは、１つまたは複数のヘルムホルツ共鳴器を含む。そのような共鳴器は、正しくチューニングされているときに、狭い周波数バンドの中で高い音響吸収を提供する。本発明によれば、１つまたは複数のヘルムホルツ共鳴器は、自分自身によって音響吸収デバイスを形成することが可能であるか、または、ミネラル・ウールもしくは他の多孔性の材料の１つもしくは複数のバットと組み合わせられるかのいずれかであることが可能である。
【００４７】
第１の態様のある実施形態では、モジュールは、開／閉メカニズムを含み、開／閉メカニズムは、貫通開口部の実質的に音響的に緊密な閉鎖を取得するように構成されており、メカニズムは、第１および第２の閉鎖面を含み、メカニズムは、第１および第２の閉鎖面が互いに接触しているときに、貫通開口部を閉鎖し、第１および第２の接触面が互いに接触していないときに、貫通開口部を開放するように構成されている。
【００４８】
第１の態様のある実施形態では、第１の閉鎖面または第２の閉鎖面のうちの少なくとも１つは、リテイニング・メカニズムとして機能する磁気的な手段を設けられており、磁気的な手段は、メカニズムが閉鎖状態に持って行かれるときには、第１の閉鎖面を第２の閉鎖面に付勢するように構成されている。
【００４９】
第１の態様のある実施形態では、第１の閉鎖面は、リテイニング・メカニズムとして機能する永久磁石材料を設けられており、第２の閉鎖面は、第１の閉鎖面の磁気材料によって引き付けられ得る材料から作製されている。
【００５０】
第１の態様のある実施形態では、第１の接触面は、リテイニング・メカニズムとして機能する電磁石を設けられており、第２の接触面は、第１の接触面の電磁石によって引き付けられ得る材料から作製されている。
【００５１】
第１の態様のある実施形態では、開閉するための手段は、アクチュエーターまたはモーター手段を含み、アクチュエーターまたはモーター手段は、貫通開口部を開閉するための手段に動作可能に接続されており、アクチュエーターまたはモーター手段は、ユーザー・インターフェースからユーザーによって遠隔制御され得る。
【００５２】
第１の態様のある実施形態では、開／閉メカニズムは、枢動可能に装着されたプレート部材を含み、プレート部材は、フロント・フェイスと固定関係になっている枢動軸棒の周りに枢動するように構成されており、プレート部材が閉鎖状態と開放状態との間で枢動することができるようになっており、閉鎖状態では、プレート部材が、フロント・フェイスの中の貫通開口部を閉鎖しており、開放状態では、プレート部材が、貫通開口部を閉鎖しておらず、プレート部材は、前記第１の閉鎖面を設けられており、対応する部分の上のフロント・プレートは、前記第２の閉鎖面を設けられている。
【００５３】
第１の態様の好適な実施形態では（および、同様に、第２の態様によるフロント・フェイスの好適な実施形態では）、フロント・フェイスの中の貫通開口部のための開／閉手段として提供されるプレート部材は、内向き方向に枢動し、すなわち、音響吸収デバイスがその中に位置付けされているモジュールの内部領域の中へ枢動する。これは、なかでも、モジュールが、開放状態と閉鎖状態との間で変化するときに、その外観をほとんど変化させないという点で有利である。また、フロント・フェイスの外部表面またはフロント表面、すなわち、外部領域またはスペースに面するフロント・フェイスの表面と直接的に接触している状態でも、被覆シートが装着され得るということを保証する。好ましくは、モジュールの内部領域の中の音響吸収デバイスは、黒色であることとなり、フロント・フェイスは、同様に、艶消しの黒色の表面を有することとなり、被覆シートがフロント・フェイスの前に存在していないときでも、モジュールの開放状態と閉状態との間の差を見ることが少なくとも困難であるようになっている。第１の態様のある実施形態では、閉鎖面のうちの一方は、永久的な磁気材料、たとえば、磁気リボンなどを設けられており、他方の閉鎖面は、対向する閉鎖面の上に設けられた磁気材料からの磁力によって引き付けられ得る材料から作製されている。
【００５４】
第１の態様のある実施形態では、開／閉メカニズムは、スライディング・プレート部材を含み、スライディング・プレート部材は、フロント・フェイスと実質的に平行のスライディング移動のために装着されており、スライディング・プレート部材が、閉鎖状態と開放状態との間で移動することができるようになっており、閉鎖状態では、スライディング・プレート部材が、フロント・フェイスの中の貫通開口部を閉鎖しており、開放状態では、スライディング・プレート部材が、フロント・フェイスの中の貫通開口部を閉鎖していない。
【００５５】
第１の態様のある実施形態では、スライディング・プレート部材は、移動の方向における両側の縁部部分において、レッグ部分を設けられており、スライディング・プレート部材が、概してＵ字形状を有するようになっており、フロント・フェイスは、貫通開口部の縁部において、対応するレッグ部分を設けられており、貫通開口部は、スライディング・プレート部材の移動の方向に対して垂直方向に延在しており、スライディング・プレート部材の１つのレッグ部分が、フロント・プレートの１つのレッグ部分に対応し、スライディング・プレート部材の他方のレッグ部分が、フロント・フェイスの他方のレッグ部分に対応するようになっており、開／閉メカニズムの閉鎖状態のときに、スライディング・プレート部材の第１のレッグ部分は、フロント・フェイスの対応するレッグ部分と実質的に接触しており、スライディング・プレート部材の他方のレッグ部分は、フロント・フェイスの対応するレッグ部分と実質的に接触しており、それによって、フロント・フェイスの中の貫通開口部が、実質的に閉鎖されている。
【００５６】
第１の態様のある実施形態では、スライディング・プレート部材のレッグ部分のうちの一方は、磁気材料を設けられており、磁気材料は、フロント・フェイスの上の対応するレッグ部分に向けて前記レッグ部分を付勢するように構成されており、および／または、他方のレッグ部分は、磁気材料を設けられており、磁気材料は、開／閉メカニズムが閉鎖状態に持って行かれるときに、フロント・フェイスの上の対応する他のレッグ部分に向けて前記他方のレッグ部分を付勢するように構成されている。
【００５７】
第１の態様のある実施形態では、開／閉メカニズムは、開／閉プレート部材を含み、開／閉プレート部材は、フロント・フェイスと実質的に平行に延在しており、フロント・フェイスの中の貫通開口部をカバーしており、重なり合う閉鎖領域が、プレート部材の縁部部分と、貫通開口部に隣接するフロント・フェイスの対応する縁部領域との間に形成されるようになっており、開／閉メカニズムは、アクチュエーター手段（たとえば、リニア・アクチュエーター、モーター、または、開／閉メカニズムを駆動するのに適切な任意の他の手段など）を含み、アクチュエーター手段は、プレート部材に接続されており、閉鎖状態と開放状態との間で、フロント・フェイスに対して実質的に垂直の方向にプレート部材を移動させるように構成されており、閉鎖状態では、プレート部材が、貫通開口部を閉鎖しており、開放状態では、プレート部材が、貫通開口部を閉鎖していない。
【００５８】
第１の態様のある実施形態では、重なり合う閉鎖領域もしくは対応する縁部領域のいずれか、または、これらの領域／部分の両方は、磁気的な手段を設けられており、磁気的な手段は、開／閉メカニズムが閉鎖状態になっているときに、重なり合う閉鎖領域を対応する縁部領域に向けて付勢するように構成されている。
【００５９】
第１の態様のある実施形態では、開／閉手段は、開放状態と閉鎖状態との間で開／閉メカニズムを移動させるように構成されているアクチュエーター手段を含む。
【００６０】
第１の態様のある実施形態では、音響吸収デバイスは、好ましくは、１０００Ｈｚを下回る周波数において、中間周波数音響エネルギーおよび低周波数音響エネルギーを吸収するように構成されている。
【００６１】
第１の態様のある実施形態では、フロント・フェイスは、フロント・フェイスの一体部として設けられた複数の貫通開口部を含む。
【００６２】
第１の態様のある実施形態では、フロント・フェイスは、磁力によって引き付けられ得る材料から作製されている。
【００６３】
第１の態様のある実施形態では、フロント・フェイスは、スチールなどのような金属から作製されている。
【００６４】
第１の態様のある実施形態では、フロント・フェイスの厚さｔは、４ｍｍ以下であり、好ましくは、３ｍｍよりも小さくなっている。
【００６５】
第１の態様のある実施形態では、フロント・フェイスは、複数のスラットを含み、貫通開口部が、隣接するスラット同士の間に設けられている。
【００６６】
第１の態様のある実施形態では、スラットは、スチールなどのような金属から作製されている。
【００６７】
第１の態様のある実施形態では、スラットの厚さｔは、４ｍｍよりも小さくなっており、好ましくは、３ｍｍよりも小さくなっている。
【００６８】
第１の態様のある実施形態では、スラットは、実質的に平面になっているフロント・フェイスを有している。
【００６９】
第１の態様のある実施形態では、フロント・フェイスは、取り付け手段を設けられており、取り付け手段は、シート、中間シート、および／または、シートを設けられたパネルを、モジュールのフロント・フェイスに取り付けるように構成されており、それによって、シートおよび／もしくは中間シート、または、シートを設けられたパネルは、モジュールが部屋またはホールの境界部の上に装着された後に、モジュールに取り付けられ得る。
【００７０】
第１の態様のある実施形態では、フロント・フェイスとともにモジュールの内側領域を画定するモジュールの側面は、音響的に実質的に不透過性のプレート・エレメントによって閉鎖され、周囲の中の音響的エネルギーが、開／閉メカニズムおよび音響吸収デバイスを含有するモジュールの内部スペースに到達することを防止する。
【００７１】
第１の態様のある実施形態では、被覆シートは、少なくとも低周波数領域において音響的に十分に透過性の材料から作製されており、モジュールの中の貫通開口部の開放状態において、モジュールがその吸音効果を有することを可能にする。たとえば、ファブリックのシートが、本発明の特定の実施形態において使用され得る。
【００７２】
第１の態様のある実施形態では、中間シートまたはパネルが、前記フロント・フェイスと前記被覆シートとの間に設けられている。本発明のさまざまな態様の実用的な実装形態では、そのような中間シートまたはパネルが、本発明が適用されることとなる国の中の任意の法的規制（たとえば、防火規制など）に準拠するということが必要である。したがって、たとえば、中間シートまたはパネルは、すべてのケースにおいてフロント・フェイスの中の貫通開口部の前に適当に穿孔されている、石膏ボード材料もしくは繊維セメント・ボード材料、または、単純に薄い金属プレートなどであることが可能である。たとえば、実用的な実装形態では、化粧板は、石膏ボードに糊付けされ、コンサート・ホールなどのような部屋の中に木製の仕上げを生成させることが可能である。中間シートまたはパネルは、少なくともフロント・フェイスの中の貫通開口部に対応するシートまたはパネルの部分において、（少なくとも、音響吸収が望まれる低周波数領域において）音響的に透過性でなければならず、音響エネルギー（モジュールの開放状態において）が、部屋（モジュールがその中に据え付けられている）からモジュールの中の音響吸収デバイスへ通ることができるようになっている。第１の態様のある実施形態では、音響吸収デバイスは、中間のおよび低い周波数の音響エネルギーを、好ましくは、１０００Ｈｚを下回る周波数において吸収するように構成されている。
【００７３】
第１の態様のある実施形態では、音響吸収デバイスは、モジュールの開放状態において、中間のおよび低い周波数の音響エネルギーを、好ましくは、５００Ｈｚを下回る周波数において吸収するように構成されている。
【００７４】
第１の態様のある実施形態では、音響吸収デバイスは、モジュールの開放状態において、低い周波数の音響エネルギーを、好ましくは、６３Ｈｚ、１２５Ｈｚ、および２５０Ｈｚオクターブ・バンドの中の周波数において吸収するように構成されている。
【００７５】
第１の態様のある実施形態では、モジュールのフロント・フェイスは、複数のスラットを含み、貫通開口部が、隣接するスラット同士の間に設けられている。
【００７６】
第１の態様のある実施形態では、スラットは、スチールなどのような金属から作製されている。スラットは、中実であり得るか、または、音響的に緊密に閉鎖されたプロファイルから作製され得るかのいずれかである。
【００７７】
スラットは、好ましくは、貫通開口部の閉鎖モードにおいて、低い周波数においても低い吸収値を取得するために、すなわち、閉鎖状態において、低い周波数において高い程度の音響反射を取得するために、たとえば、１５ｋｇ／ｍ２以上の十分な表面重量を保証する材料から作製されている。好ましくは、たとえば、最大０．２の音響吸収係数が、モジュールの閉鎖状態において、１２５Ｈｚオクターブ・バンドの中で取得されるべきである。
【００７８】
代替的に、または、追加的に、フロント・フェイスのリジッド性を増加させることは、フロント・フェイスの後方表面に取り付けられている、すなわち、モジュールの内側領域に向けて取り付けられている、スチール・プロファイル（たとえば、Ｔ字プロファイルまたはＬ字プロファイル）などのような適切な手段によって取得される。
【００７９】
閉鎖状態において所望の低い音響吸収係数を取得するために必要とされる表面重量は、以下の式から大まかに推定され得る。
【数１】
2020520483.tif 000003
ここで、αは、音響吸収係数であり、ｆは、周波数であり、ｍは、表面重量であり、ρは、空気の比質量であり、ｃは、空気の中の音の速度である。しかし、実用的な実装形態では、フロント・フェイスおよび閉鎖された貫通開口部を通る音の伝達は、満足のいく低いレベルにあるということを検証することが必要である。図８（ｂ）の中の１２５Ｈｚにおける０，２の吸収係数が、場合によっては、上記の等式において述べられている膜吸収効果と組み合わせて、２ｍｍスチールのフロント・フェイスを通る音の伝達によって引き起こされる可能性が最も高い。フロント・フェイスの表面重量がより高い場合には、より低い値が取得されることとなり、それは、より高い音響低減インデックスをもたらすこととなる。
【００８０】
第１の態様のある実施形態では、スラットの厚さｔは、４ｍｍ以下であり、好ましくは、３ｍｍよりも小さくなっている。貫通開口部の音響質量、および、モジュールの中の内部スペースの音響コンプライアンスによって引き起こされる望ましくないヘルムホルツ共鳴器効果を回避するために、スラットの厚さ、ひいては、貫通開口部の深さは、好ましくは、小さく維持されるべきである。モジュールの中の貫通開口部をカバーするシートと開口部および閉鎖手段（下記を参照）（閉鎖手段は、フロント・フェイスを通りモジュールの内部領域の中へのサウンド・アクセスを開閉する）との間の共鳴器効果を回避するために、スラットの厚さは、好ましくは、小さく維持されるべきである。この共鳴器効果は、本発明の詳細な説明に説明されているような開閉手段の上にフォームまたは軟質の難燃プラスチック・ストリップを提供することによって、さらに回避されるかまたは低減され得る。
【００８１】
第１の態様のある実施形態では、スラットは、実質的に平面的なフロント・フェイスを有している。この特徴は、スラットのフロント・フェイスの外側表面に被覆シートを固く装着することを可能にするために重要である。
【００８２】
第１の態様のある実施形態では、フロント・フェイスの中の貫通開口部は、貫通開口部のうちの１つまたは複数を開閉するための手段を設けられており、その手段は、貫通開口部を開閉するための手段に動作可能に接続されているアクチュエーターまたはモーター手段を含み、そのアクチュエーターまたはモーター手段は、ユーザー・インターフェースからユーザーによって遠隔制御され得る。
【００８３】
フロント・フェイスの中の貫通開口部は、実質的に音響吸収が望まれない場合には、音響的に緊密に閉鎖され得るということが重要である。フロント・フェイスの中の貫通開口部を開閉するためのメカニズムの実施形態は、本発明の詳細な説明に説明されている。これらのメカニズムの設計では、たとえば、メカニズムの中のダストまたは他の粒子の蓄積によって、必要とされる閉鎖が妨げられないことを保証するということが重要である。
【００８４】
第１の態様のある実施形態では、フロント・フェイスは、取り付け手段を設けられており、取り付け手段は、被覆シートを設けられた中間シートまたはパネルをモジュールのフロント・フェイスに取り付けるように構成されており、それによって、被覆シートを設けられた中間シートまたはパネルは、モジュールが部屋またはホールの境界部の上に装着された後に、モジュールに取り付けられ得る。そのような取り付け手段は、機械的な取り付け手段およびグルーなどのような適切な接着剤の両方を含むことが可能であり、また、たとえば、Ｖｅｌｃｒｏテープなどを含むことが可能である。
【００８５】
本発明の実施形態によれば、スリット−吸収体タイプの吸収特質を実現するために、スラットの厚さ（すなわち、フロント・フェイスからモジュールの内部スペースに向けての延在）は増加させられ得り、隣接するスラット同士の間の距離は、より小さくされ得り、たとえば、１ｃｍにされ得る。これは、低周波数吸収を強化することが可能である。
【００８６】
第１の態様のある実施形態では、スラットは、中空のプロファイルとして構成されており、たとえば、２ｍｍスチール・プレートなどのような金属から作製されている。
【００８７】
アクチュエーターまたは他の駆動手段などのような、モジュールの内部パーツのメンテナンスまたは交換を促進させるために、モジュールが部屋の中に据え付けられているときに、モジュールの内部への容易なアクセスを有することが望ましい。第１の態様のある実施形態では、フロント・フェイスは、モジュールを境界部に取り付けるために使用される取り付け手段によって枢動可能に取り付けられており、フロント・フェイスが取り付け手段に対して傾斜させられ得るようになっており、モジュールの内部領域へのアクセスを提供するようになっており、モジュールの内部領域の中には、なかでも、開／閉メカニズムを駆動するアクチュエーターまたはモーターが位置付けされている。
【００８８】
第１の態様のいくつかの実施形態では、アクチュエーターは、モジュールのフロント・フェイスの後方部分から、モジュールの内部スペースの中へ、比較的に大きい距離にわたって延在している。これは、フロント・フェイスの出荷を高価にする。その理由は、出荷の間のそれぞれの個々のフロント・フェイスが比較的に大きいスペースを占めるからである。したがって、第１の態様のある実施形態では、アクチュエーター、および、場合によっては、追加的な駆動手段が、別々に提供され、モジュールがその中で使用されることとなる部屋の中に現地で装着され得る。
【００８９】
部屋の天井に取り付けられることとなるモジュールのために、音響吸収デバイスの機能を果たすミネラル・ウール・スラブが、たとえば、拡張された金属／メッシュの表面の上に装着され得り、金属／メッシュは、フロント・フェイスの生産の間にフロント・フェイスの上に装着される。
【００９０】
可能な限り音響的に緊密に閉鎖メカニズムを閉鎖させるために、たとえば、開／閉メカニズムの中のヒンジ部材の上の任意の公差を吸収するために、弾性パーツが、メカニズムのさまざまなパーツに適用され得る。
【００９１】
本発明の第２の態様
本発明の第２の態様は、たとえば、第１の態様によるモジュールの中で使用するためのフロント・フェイスに関し、フロント・フェイスは、複数の貫通開口部を設けられており、複数の貫通開口部は、本発明の第１の態様の下で上記に説明されているように、開放状態において、音響吸収デバイスへの音響エネルギーのアクセスを提供する。フロント・フェイスは、開／閉メカニズムを設けられており、開／閉メカニズムは、フロント・フェイスの中に設けられている貫通開口部を開閉するように構成されている。本発明の態様のうちのいずれかによれば、開／閉メカニズムは、貫通開口部の実質的に音響的に緊密な閉鎖を提供することができるように構成されており、すなわち、それは、フロント・フェイスの閉鎖状態において、音響エネルギーが貫通開口部を通過することを非常に効果的に防止することが可能である。フロント・フェイスがその閉鎖状態になっているときに、音響エネルギーが実質的にまったく貫通開口部を通過することができず、音響吸収デバイスに進入することができないという、本発明の態様のうちのいずれかの機能に関して、それは非常に本質的であるということが見出された。
【００９２】
第２の態様の好適な実施形態では、残響時間を変化させることが必要とされる外部領域またはスペースに面するフロント・フェイスの外側表面が、開／閉メカニズムの任意の状態において平らにまたは滑らかに維持されるように、開／閉メカニズムは構成されており、たとえば、被覆シートが、開／閉メカニズムを妨害することなく、外側表面に（または、この付近に）取り付けられ得るようになっている。
【００９３】
第２の態様のある実施形態では、フロント・フェイスは、複数の貫通開口部を含み、貫通開口部が開放状態になっているときに、音響エネルギーが、貫通開口部を通過することが可能であり、フロント・フェイスは、前記貫通開口部を開閉するように構成されている開／閉メカニズムを設けられており、開／閉メカニズムは、閉鎖部材およびリテイニング・メカニズムを含み、リテイニング・メカニズムは、モジュールが閉鎖状態になっているときに、閉鎖部材を実質的に貫通開口部の周囲部全体と接触した状態に維持するように構成されている。
【００９４】
第２の態様のある実施形態では、開／閉メカニズムは、前記貫通開口部の実質的に音響的に緊密な閉鎖を取得するように構成されており、メカニズムは、第１および第２の閉鎖面を含み、メカニズムは、第１および第２の閉鎖面が互いに接触しているときに、貫通開口部を閉鎖し、第１および第２の接触面が互いに接触していないときに、貫通開口部を開放するように構成されている。
【００９５】
第２の態様のある実施形態では、第１の閉鎖面または第２の閉鎖面のうちの少なくとも１つは、磁気的な手段を設けられており、磁気的な手段は、メカニズムが閉鎖状態に持って行かれるときには、第１の閉鎖面を第２の閉鎖面に付勢するように構成されている。
【００９６】
第２の態様のある実施形態では、第１の閉鎖面は、永久磁石材料を含み、第２の閉鎖面は、第１の閉鎖面の磁気材料によって引き付けられ得る材料から作製されている。
【００９７】
第２の態様のある実施形態では、第１の接触面は、電磁石を設けられており、第２の接触面は、第１の接触面の電磁石によって引き付けられ得る材料から作製されている。
【００９８】
第２の態様のある実施形態では、開閉するための手段は、アクチュエーターまたはモーター手段を含み、アクチュエーターまたはモーター手段は、貫通開口部を開閉するための手段に動作可能に接続されており、アクチュエーターまたはモーター手段は、ユーザー・インターフェースからユーザーによって遠隔制御され得る。
【００９９】
第２の態様のある実施形態では、開／閉メカニズムは、枢動可能に装着されたプレート部材を含み、プレート部材は、フロント・フェイスと固定関係になっている枢動軸棒の周りに枢動するように構成されており、プレート部材が閉鎖状態と開放状態との間で枢動することができるようになっており、閉鎖状態では、プレート部材が、フロント・フェイスの中の貫通開口部を閉鎖しており、開放状態では、プレート部材が、貫通開口部を閉鎖しておらず、プレート部材は、前記第１の閉鎖面を設けられており、対応する部分の上のフロント・プレートは、前記第２の閉鎖面を設けられている。
【０１００】
第２の態様のある実施形態では、プレート部材は、モジュールが閉鎖状態から開放状態へ変化するときに、モジュールの内部領域またはスペースに向かう方向に、枢動軸棒の周りに枢動する。
【０１０１】
第２の態様のある実施形態では、閉鎖面のうちの一方は、永久的な磁気材料、たとえば、磁気リボンなどを設けられており、他方の閉鎖面は、対向する閉鎖面の上に設けられた磁気材料からの磁力によって引き付けられ得る材料から作製されている。
【０１０２】
第２の態様のある実施形態では、前記枢動軸棒の反対側のこの縁部部分において、前記第１の閉鎖面は、弾性リテイニング手段を設けられており、弾性リテイニング手段は、第１の閉鎖面に対して固定関係にある状態に前記第２の閉鎖面を維持するように構成されている。
【０１０３】
第２の態様のある実施形態では、開／閉メカニズムは、スライディング・プレート部材を含み、スライディング・プレート部材は、フロント・フェイスと実質的に平行のスライディング移動のために装着されており、スライディング・プレート部材が、閉鎖状態と開放状態との間で移動することができるようになっており、閉鎖状態では、スライディング・プレート部材が、フロント・フェイスの中の貫通開口部を閉鎖しており、開放状態では、スライディング・プレート部材が、フロント・フェイスの中の貫通開口部を閉鎖していない。
【０１０４】
第２の態様のある実施形態では、スライディング・プレート部材は、移動（Ｂ）の方向における両側の縁部部分において、レッグ部分を設けられており、スライディング・プレート部材が、概してＵ字形状を有するようになっており、フロント・フェイスは、貫通開口部の縁部において、対応するレッグ部分を設けられており、貫通開口部は、スライディング・プレート部材の移動（Ｂ）の方向に対して垂直方向に延在しており、スライディング・プレート部材の１つのレッグ部分が、フロント・プレートの１つのレッグ部分に対応し、スライディング・プレート部材の他方のレッグ部分が、フロント・フェイスの他方のレッグ部分に対応するようになっており、開／閉メカニズムの閉鎖状態のときに、スライディング・プレート部材の第１のレッグ部分は、フロント・フェイスの対応するレッグ部分と実質的に接触しており、スライディング・プレート部材の他方のレッグ部分は、フロント・フェイスの対応するレッグ部分と実質的に接触しており、それによって、フロント・フェイスの中の貫通開口部が、実質的に閉鎖されている。
【０１０５】
第２の態様のある実施形態では、スライディング・プレート部材のレッグ部分のうちの一方は、磁気材料を設けられており、磁気材料は、フロント・フェイスの上の対応するレッグ部分に向けて前記レッグ部分を付勢するように構成されており、および／または、他方のレッグ部分は、磁気材料を設けられており、磁気材料は、開／閉メカニズムが閉鎖状態に持って行かれるときに、フロント・フェイスの上の対応する他のレッグ部分に向けて前記他方のレッグ部分を付勢するように構成されている。
【０１０６】
第２の態様のある実施形態では、開／閉メカニズムは、開／閉プレート部材を含み、開／閉プレート部材は、フロント・フェイスに対して実質的に垂直に延在しており、フロント・フェイスの中の貫通開口部をカバーしており、重なり合う閉鎖面が、プレート部材の縁部部分と、貫通開口部に隣接するフロント・フェイスの対応する縁部領域との間に形成されるようになっており、開／閉メカニズムは、アクチュエーター手段を含み、アクチュエーター手段は、プレート部材に接続されており、閉鎖状態と開放状態との間で、フロント・フェイスに対して実質的に垂直の方向にプレート部材を移動させるように構成されており、閉鎖状態では、プレート部材が、貫通開口部を閉鎖しており、開放状態では、プレート部材が、貫通開口部を閉鎖していない。
【０１０７】
第２の態様のある実施形態では、この縁部部分における閉鎖面は、弾性リテイニング手段を設けられており、弾性リテイニング手段は、フロント・フェイスに対して固定関係にある状態に前記閉鎖面を維持するように構成されている。
【０１０８】
第２の態様のある実施形態では、重なり合う閉鎖領域もしくは対応する縁部領域のいずれか、または、これらの領域／部分の両方は、磁気的な手段を設けられており、磁気的な手段は、開／閉メカニズムが閉鎖状態になっているときに、重なり合う閉鎖領域を対応する縁部領域に向けて付勢するように構成されている。
【０１０９】
第２の態様のある実施形態では、開／閉手段は、開放状態と閉鎖状態との間で開／閉メカニズムを移動させるように構成されているアクチュエーター手段を含む。
【０１１０】
第１の態様のある実施形態では、フロント・フェイスは湾曲している。
【０１１１】
本発明の第３の態様
本発明の第３の態様は、本発明の第１の態様による複数のモジュールを含むシステムに関する。
【０１１２】
上記のおよびさらなる目的および利点は、本発明の第３の態様にしたがって、たとえば、多目的部屋などの部屋の壁部または天井などのような、境界部をカバーするように構成されている、可変の音響特性を有するシステムであって、部屋では、それぞれの特定の使用にしたがって、部屋の音響特性、たとえば、残響時間などを変化させることが可能でなければならず、システムは、本発明の第１の態様による複数のモジュールＭ１、Ｍ２、…Ｍ１０を含み、個々のモジュールＭ１、Ｍ２、…Ｍ１０は、制御ユニットと通信しており、制御ユニットが、個々のモジュールの対応する開／閉メカニズムを制御することによって、それぞれの個々のモジュールの中の貫通開口部の開／閉を制御することができるようになっている、システムによって提供される。
【０１１３】
第３の態様のある実施形態では、システムは、制御ユニットと機能的に通信しているユーザー・インターフェースを含み、それによって、モジュールＭ１からＭ１０がその中に設けられている部屋の残響時間が、モジュールのそれぞれの個々を開／閉することによって、ユーザーによって制御され得る。
【０１１４】
第３の態様のある実施形態では、システムは、電子メモリーを含み、それぞれの個々のモジュールの対応するセッティング（開／閉状態）が、たとえば、取得された残響時間が最適であるとみなされた性能の種類の説明とともに、電子メモリーの中に記憶され得る。
【０１１５】
第３の態様のある実施形態では、照明手段が、貫通開口部の中に、または、音響吸収デバイスの内側に設けられており、照明手段によって放出される光が、システムがその中に据え付けられている部屋から見られ得るようになっており、それによって、システムの中で使用される個々のモジュールの状態を示す。
【０１１６】
第３の態様のある実施形態では、モジュールのフロント・フェイス、または、モジュールのグループのフロント・フェイスは、それらが装着されている境界部から異なる距離において、または、境界部に対して異なる角度で延在している。これは、たとえば、それに対応して、フレーム構造体／取り付け手段の深さを変化させることによって取得され得る。第２の態様のこの実施形態を使用することによって、望まれる場合には、中間のおよび低い周波数における音響拡散が取得され得る。
【０１１７】
モジュールが境界部の限られた部分だけをカバーしているケースでは、最も外側のモジュールの端部および側面が、実質的に音響不透過性のパネルなどでカバーされており、これらのモジュールの取り付け手段の端部および側面を介した、音響吸収手段を含有するモジュールの内部領域の中へのサウンド・アクセスが、効果的に防止されるようになっているということが重要である。
【０１１８】
第３の態様のある実施形態では、開／閉メカニズムは、単一のモーターまたはアクチュエーターが第１の態様による複数のモジュールを駆動することができるように構成されている。
【０１１９】
第３の態様のある実施形態では、開／閉メカニズムは、それぞれのモジュールのフロント・フェイスが据え付けられる前に、開／閉メカニズムを据え付けることが可能となるように構成されている。したがって、この実施形態によれば、開／閉メカニズムは、個々のモジュールのフロント・フェイスを部屋の境界部に取り付けるために使用される取り付け構造体またはフレーム構造体のパーツを形成することが可能である。
【０１２０】
本発明の第４の態様
本発明の第４の態様は、本発明の第２の態様によるフロント・フェイスのシステムに関する。第４の態様によれば、１つまたは複数の音響吸収デバイスは、第４の態様によるシステムがその中に据え付けられることとなる部屋の境界部の一部である。したがって、第４の態様によれば、第２の態様による複数のフロント・フェイスを、適当な様式で、部屋の中にすでに存在している音響吸収デバイスの上に据え付けることだけが必要である。
【０１２１】
第４の態様のある実施形態では、音響吸収デバイス、たとえば、ミネラル・ウールのバットなどは、部屋の選ばれた境界部の上に事前に据え付けられている。このケースでは、本発明によって提供される少なくとも残響時間の所望の可変性を取得するために、本発明の第２の態様によるフロント・フェイスを、選ばれた境界部の上に、たとえば、部屋の中の壁部（一部分）および／または天井（一部分）などの上に据え付けることだけが必要である。
【０１２２】
本発明の第５の態様
本発明の第５の態様は、本発明の第１の、第２の、第３の、および第４の態様において使用するための開／閉メカニズムに関する。本発明の所望の音響吸収機能を取得するために、開／閉メカニズムが、上記に説明されているフロント・フェイスの中の貫通開口部の非常に緊密な音響的閉鎖を提供するということが非常に本質的である。第４の態様は、この非常に緊密な音響的閉鎖を取得するための手段に関する。
【０１２３】
第５の態様によれば、音響エネルギー連通通路の実質的に音響不透過性の閉鎖を提供するための開／閉メカニズムであって、通路は、たとえば、部屋またはホールの可変の音響性、たとえば、残響時間などを提供するデバイスに、音響エネルギーを提供するように構成されており、音響エネルギー連通通路は、実質的に通路の断面の周囲部全体に沿って、第１の閉鎖面を設けられており、断面音響エネルギーは、通路が開放状態になっているときに、通路を通過し、開／閉メカニズムは、閉鎖部材を含み、閉鎖部材は、第１の閉鎖面と重なり合う関係になっている第２の閉鎖面を設けられており、第１および第２の閉鎖面が互いに実質的に接触した状態に持って行かれるときに、第１および第２の閉鎖面が、通路を閉鎖するようになっており、音響エネルギーが通路を通過することを実質的に防止されるようになっており、開／閉メカニズムは、閉鎖部材リテイニング手段を含み、閉鎖部材リテイニング手段は、通路が閉鎖状態になっているときに、第２の閉鎖面が第１の閉鎖面に対して移動することを実質的に防止する、開／閉メカニズムが提供される。
【０１２４】
第５の態様のある実施形態では、少なくとも第１の閉鎖面または第２の閉鎖面は、磁気的な手段を設けられており、磁気的な手段は、メカニズムが閉鎖状態に持って行かれるときに、第１の閉鎖面を第２の閉鎖面に付勢するように構成されている。
【０１２５】
第５の態様のある実施形態では、第１の閉鎖面は、永久磁石材料を設けられており、第２の閉鎖面は、第１の閉鎖面の磁気材料によって引き付けられ得る材料から作製されている。
【０１２６】
第５の態様のある実施形態では、第２の閉鎖面は、永久磁石材料を設けられており、第１の閉鎖面が、第２の閉鎖面の磁気材料によって引き付けられ得る材料から作製されている。
【０１２７】
第５の態様のある実施形態では、第１の閉鎖面および第２の閉鎖面の両方が、永久磁石材料を設けられている。
【０１２８】
第５の態様のある実施形態では、磁気材料のうちの少なくとも１つは、電磁石である。
【０１２９】
本発明の第６の態様
本発明の第６の態様は、部屋の特定の使用にしたがって部屋の残響時間（ＲＴ）を変化させるために本発明の第１から第５の態様を使用する方法に関する。
【０１３０】
本発明の第６の態様によれば、少なくとも低い周波数において、部屋の残響時間を変更するための方法であって、残響時間が変更されているときに、それによって、部屋の外観を変化させることのないようになっており、方法は、
−  本発明の第１の態様による複数のモジュール、または、本発明の第３の態様によるシステムを提供するステップと、
−  モジュールまたはシステムを部屋の１つまたは複数の境界部に取り付けるステップと、
−  個々のモジュール、または、モジュールのシステムの状態（開／閉）を変化させるステップ、および、部屋の対応する残響時間を決定するステップと、
−  必要とされる残響時間が取得されるときに、個々のモジュールの対応する状態（開／閉）を維持するステップと
を含む、方法が提供される。
【０１３１】
第６の態様のある実施形態では、方法は、部屋のそれぞれの特定の使用に対応する個々のモジュールの決定されたセッティングをメモリー手段の中に記憶するステップをさらに含む。
【０１３２】
本発明によるモジュール、システム、および方法は、低い周波数において部屋またはホールの残響時間を非常に著しく変更することを可能にすることとなる。この効果は、なかでも、モジュールの深さ、すなわち、モジュールが装着される壁部部分から音響吸収材料のフロント・フェイスへの距離が、最適化されることを必要とする。その理由は、深さが大きくなればなるほど、低い周波数まで延在する効果を結果として生じさせることとなるからである。増幅器を用いた音楽（または、スピーチ）が、部屋またはホールの中で行われる場合には、これは、低い周波数において、比較的に短い残響時間を必要とすることとなり、その短い残響時間は、本発明のモジュール、システム、および方法を適用することによって取得され得る。より高い周波数において、たとえば、１ｋＨｚを上回る周波数において、ホールの中の観客、空いている椅子などは、通常、中間のおよび高い周波数において、比較的に低い残響時間を取得するために必要とされる音響吸収および散乱を提供することとなる。そのうえ、ポップ・ミュージックまたはロック・ミュージックのライブ・パフォーマンスにおいて使用されるラウドスピーカー・システムは、中間のおよび高い周波数において、それらの周波数における音響エネルギーの大部分を、ホールの境界部に向けてではなく、観客に向けて方向付けする、方向的特質を有することとなる。また、これは、中間のおよび高い周波数において残響時間を限定することに貢献する。
【０１３３】
本発明によるモジュール、システム、および方法の適用によって、多目的ホールの残響時間は、少なくとも低い周波数において変化させられ得り、たとえば、映画の上映、ポップ・ミュージックまたはロック・ミュージックのライブ・パフォーマンス、チェンバー・ミュージック、交響曲、オペラ、聖歌隊、演劇、および講演など、多くの異なるジャンルのパフォーマンスが、最適な音響的条件の下で行われることができるようになっている。
【０１３４】
本発明によるシステムの適用によって、システムを構成するモジュールのうちのいくつかを開放し、他のものを閉鎖することが可能であり、それによって、所与の目的のために残響時間を最適化する。
【０１３５】
本発明によるシステムの適用によって、残響時間の可変性は、それによって部屋またはホールの外見を変化させることなく取得され得る。
【０１３６】
本発明の第７の態様
本発明の第７の態様は、概して、部屋の中の可変の音響的特質、たとえば、可変の音響吸収、音響反射、および残響時間（ＲＴ）などを提供するデバイスおよびシステムとともに使用するように構成されている開／閉メカニズムの実質的に音を通すことのできない閉鎖を確立するための磁気的な手段の使用に関する。
【０１３７】
本発明の開／閉メカニズムの重要な特徴
本発明の態様のうちのいずれかによる開／閉メカニズムの好適であるが限定するものではない実施形態の１つの特徴は、フロント・プレートの中の貫通開口部を通した音響エネルギーのアクセスを開閉するために使用される開／閉部材が、決してフロント・フェイスのフロント表面を越えて延在しないように構成されており、それによって、開／閉メカニズムの任意の状態において、フロント表面が、滑らかなままであり、開／閉部材による切れ目のないままになっており、フロント表面に直接的に（または、極めて近付けて）被覆シートを取り付けることが可能となるようになっているということである。
【０１３８】
本発明によって提供される利点および効果
本発明によるシステムの適用によって、部屋またはホールの異なる用途に関する最適な残響時間に対応する異なるモジュールのセッティングを記憶することが可能となる。
【０１３９】
本発明によるモジュール、システム、および方法の適用によって、本発明によるモジュールまたはシステムが存在しない状態の部屋またはホールの残響時間は、比較的に長くなる可能性がある。それによって、部屋またはホールの初期の設計の後に、本発明によるモジュールまたはシステムを据え付け、より短い残響時間を必要とする異なる目的に関して、部屋またはホールを適切なものにするために必要とされる可変性を提供することが可能となる。
【０１４０】
本発明によるシステムが、任意の仕上げおよび外見の大きくて均一なまたは切れ目のない表面を、部屋またはホールの中の公衆に提示することができるという事実は、本発明によるシステムの適用によって、所望のスパンの残響時間（ＲＴ）を取得するために十分に大きい面積の可変の音響的手段を据え付けることを可能とし（その理由は、これらの可変の音響的手段が全体的なインテリア・デザインを視覚的に傷つけることとならないからである）、また、視覚的な効果（色付きの光、絵、ビデオ・シーケンスなど）をこれらの切れ目のない表面の上にさらに適用することを可能とし、それによって、異なる用途にしたがって部屋もしくはホールの外見を変化させ、および／または、本発明によるシステムの切れ目のない表面部分の上に直接的に、部屋もしくはホールの実際の使用に関する情報を提供する。
【０１４１】
下記に説明されている本発明のさまざまな態様は、いくつかの重要な課題を解決し、そのうちの以下の３つが述べられている。
１）  本発明のさまざまな態様の適用は、本発明がその中で使用される部屋の残響時間（ＲＴ）に関して大きいスパンを提供する。したがって、ＲＴは、本発明の適用によって容易に２倍にされ得り（または、半分にされる）、それは、以前には決して実現されなかったバリエーションの大きさである。これは、Ｓａｂｉｎｅｓ式を参照する２つの要因に起因して可能となった。その２つの要因は、（１）本発明によるモジュール、ユニット、またはシステム全体が、部屋の非常に大きい天井エリアの中、および、壁部の上の両方に装着され得るということ、ならびに、（２）デルタ・アルファが、重要な低い周波数バンドにおいて大きくなっており、典型的に、０＊、６〜０，８であるということである。
２）  低い周波数におけるＲＴは変化させられ、一方、高い周波数、たとえば、１０００Ｈｚを上回る周波数は、同じ延在する本発明の適用によって同じ程度に影響を受けない。これは、最近の研究［２］およびＮＳ  ８１７によれば、とりわけ有利であり、また、欧州特許第１７７９３７５号明細書、米国特許第７，９０５，３２３号明細書、および特許第４７８２１９３号明細書に説明されているような、本発明者の以前の発明においてのみ、以前から実現されている。
３）  本発明を使用して取得される音響的可変性は、本発明がその中に据え付けられている部屋の外観に影響を与えず、それは、観客の視点から、ならびに、たとえば多目的ホールなどの部屋のインテリア・デザインを担当する、たとえば建築家またはその他の者の視点の両方から、魅力的な本発明の適用を生み出すこととなる。本発明において使用される可変の音響吸収デバイスは、インテリア・デザインの中に埋め込まれ得り、音響吸収デバイスは、ほとんど見ることができない。これは、以前には、この程度までは決して実現されなかった。
【０１４２】
システム構成
部屋または公会堂の中で可能な限り多く吸収が散乱させられるときに、これは、所定のエネルギー密度を有する音響場を生成させることとなり、それは、可能な限り均一であり、人間の耳に美しく聴こえる音減衰を結果として生じさせるということが、建築音響学ではよく知られている。本発明によってＲＴを２倍にするかまたは半分にするという求められる可変性を実現するために、典型的な状況は、天井エリアのほとんど、および、いくつかの壁部エリアを、パネルによって充填するということであり得る。
【０１４３】
例：  ＬｘＷｘＨ＝３０ｍｘ２０ｍｘ１０ｍの寸法を有する６０００ｍ３ホールにおいて、先述のＮＳ  ８１７８にしたがって、ＲＴを１，１秒から２，２秒に変化させることが可能であるべきである。Ｓａｂｉｎｅ計算によれば、これは、０，６のΔαによって１２５Ｈｚオクターブ・バンドの中にＲＴのこのバリエーションを取得するために、おおよそ７００ｍ２の本発明によるモジュールを必要とすることとなる。天井エリアは、たとえば、６００ｍ２になり、１００ｍ２の壁部エリアも使用されるべきであることとなる。
【０１４４】
より均一な音響エネルギー密度を実現するために、モジュールは、たとえば、壁部の上でより多くの面積によって、天井においてより少ない面積によって、より多く散乱させられ得る。また、これは、完璧に拡散される部屋を仮定するＳａｂｉｎｅの式により良好に準拠することとなる。２．４ｍｘ０．６ｍのモジュール・サイズによって、合計でおおよそ４８６個のモジュールが、必要となる７００ｍ２をカバーするために使用されなければならない。
【０１４５】
ポップ・ミュージック（１，１秒）およびチェンバー・ミュージック（２，２秒）のためだけでなく、たとえば、ブラス・バンド（１，７秒）などのような大音量の音響的音楽のためにも、理想的な残響時間条件を作製するために、そのような中間構成において、どの本発明によるモジュールまたはユニットがそれぞれＯＮまたはＯＦＦにされるべきであるかということが考えられるべきである。これは、仕事中の音響エンジニアが決定すること次第であることとなり、追い掛けるべき１つの経路は、美しい音を生成させるために、吸音パネル（ＯＮ）を可能な限り多く散乱させるということである可能性がある。しかし、また、モジュールを装着するときの実用性が、ここで考えられなければならない。典型的な据え付けは、Ｎ列のモジュールから構成され、それぞれの列の中にＭモジュールを備えることとなる。上記の例では、ホールの幅、ひいては、天井の幅は、２０ｍである。これは、それぞれのモジュールが６０ｃｍの幅である場合には、天井を横切って最大で２０／０，６＝＞３３列を可能にすることとなる。１つの構成は、すべて３３列がＯＮであることとなり（ポップ・ミュージック）、別の構成は、すべての列がＯＦＦであることとなり（チェンバー・ミュージック）、一方、第３の構成は、１列おきにＯＮであることなどが可能である。パフォーマンスのジャンルにしたがって、それぞれのコンサートに関して、ホールがそこから選ぶために、複数のプリセットが利用されることとなる。しかし、現実には、天井のいくつかのエリアは、音響的可変性のために使用されるのではなく、換気、スプリンクラー、照明、可変の音響モジュールのためのサービス・ハッチなどのような、ユーティリティー目的のために使用されることとなる。
【０１４６】
さらに、オーケストラが位置するホールの端部部分（ステージ・エリア）における音響吸収の量に関して、本発明によれば、ステージ・エリアは、さまざまな種類のパフォーマンスに適合され得る。また、これは、観客が位置しているホールの他の部分にも当てはまる。これは、本発明の適用によって、ミュージシャンへの早いおよび遅い音響エネルギーの量を制御することを可能にすることとなり、たとえば、特に、ミュージシャンによって経験される合計音レベルが、ミュージシャンの聴力を損なう可能性がある程に大きくないということを保証することが可能である。
【図面の簡単な説明】
【０１４７】
本発明のさらなる利益および利点が、添付の図面と併せて、本発明の非限定的な例示的な実施形態の詳細な説明を読んだ後に、明らかになることとなる。
【０１４８】
【図１】本発明の実施形態によるシステムおよび被覆シートの概略斜視図である。
【図２】壁部部分または天井部分に取り付けられている、本発明の実施形態によるモジュールの概略断面表現図であり、モジュールは、たとえばミネラル・ウールのバットから構成される音響吸収デバイスを設けられていることを示す図である。
【図３（ａ）】本発明によるモジュールのための開／閉メカニズムの実施形態を示す図である。
【図３（ｂ）】本発明によるモジュールのための開／閉メカニズムの実施形態を示す図である。
【図４】閉鎖状態において、図３（ａ）および図３（ｂ）に示されている本発明の実施形態によるモジュールの概略詳細図である。
【図５】本発明の実施形態によるシステムの概略表現図であり、そのシステムは、ユーザーが操作可能な制御ユニットを設けられていることを示す図である。
【図６】フロント・フェイスに対して反対のシステムの側から見たときの、すなわち、システムが装着されることとなる境界部に面するシステムの側から見たときの、本発明の実施形態によるシステムの概略斜視図である。
【図７】フロント・フェイスに向かう方向から見たときの、すなわち、システムが装着されることとなる境界部から離れる方を向くシステムの側から見たときの、本発明の実施形態によるシステムの概略斜視図である。
【図８（ａ）】開放状態において、本発明によるモジュールの実施形態によって取得された１／３−オクターブ・バンドの中で測定された音響吸収係数の例を示す図である。
【図８（ｂ）】閉鎖状態において、本発明によるモジュールの実施形態によって取得された１／３−オクターブ・バンドの中で測定された音響吸収係数の例を示す図である。
【図９】部屋の２つの境界部の部分をカバーする本発明による被覆シートを備えたシステムの実施形態を示す図である。
【図１０（ａ）】本発明によるモジュールの２つの代替的な形状の例を示す図である。
【図１０（ｂ）】本発明によるモジュールの２つの代替的な形状の例を示す図である。
【図１１】本発明による開／閉メカニズムの第１の実施形態の概略表現図である。
【図１２（ａ）】開／閉メカニズム本発明による第２の実施形態の概略表現図である。
【図１２（ｂ）】開／閉メカニズム本発明による第２の実施形態の概略表現図である。
【図１３】開／閉メカニズム本発明による第３の実施形態の概略表現図である。
【図１４】開／閉メカニズム本発明による第４の実施形態の概略表現図である。
【図１５】本発明によるモジュールの実用的な実装形態の例の斜視図であり、本発明の実施形態によるフロント・フェイスの後方側の上に開／閉メカニズムの実施形態を示す図である。
【図１６】フロント・フェイスの中に設けられている所定のパターンの貫通開口部を示す、本発明の実施形態によるモジュールのフロント・フェイスの実用的な実装形態の例の平面図である。
【図１７】本発明によるモジュールの実施形態の一部分、および、部屋の境界部、たとえば、天井などにモジュールを取り付けるための取り付け構造体の実用的な実装形態の例の斜視図である。
【図１８】本発明によるモジュールの実施形態、および、部屋の境界部、たとえば、天井などにモジュールを取り付けるための取り付け構造体の実用的な実装形態の例の斜視図であり、モジュールは、モジュールのフロント・フェイスの中の貫通開口部の後ろに設置された音響吸収バットを設けられていることを示す図である。
【図１９】本発明によるモジュールの実施形態の概略斜視部分的分解図であり、モジュールの側面は、プレート・エレメントによって閉鎖されていることを示す図である。
【図２０】フロント・フェイスの後方側から見たときの、図１１に示されている第１の実施形態による開／閉メカニズムの実用的な実装形態を示す写真である。
【図２１】フロント・フェイスの後方側から見た、本発明の実施形態によるモジュールの写真であり、フロント・フェイスの中の貫通開口部の縁部部分がすべて磁気リボンを設けられている１つの実用的な実装形態を示す写真である。
【図２２】本発明の実施形態による開／閉メカニズムの例示目的の表現図である。
【図２３】本発明による開／閉メカニズムの第４の実施形態の概略表現図である。
【図２４】図２４（ｂ）は、図２４（ａ）に示されているタイプの２つの隣接するモジュールの概略説明図であり、図２４（ａ）に示されているタイプの２つの隣接するモジュールは、たとえば図２１（ａ）に示されているような単一のアクチュエーターによって動作させられ得るように機能的に接続されていることを示す図である。
【図２５】本発明のフロント・フェイスの開／閉メカニズムの音響的に緊密な閉鎖を提供するために使用される磁気的な手段の代替的な実施形態を示す図である。
【図２６】例として、本発明において使用されるフロント・フェイスおよび閉鎖プレートを形成するために使用され得る、１６ｋｇ／ｍ２の単位面積当たりの質量を有する２ｍｍ厚さのスチール・プレートの音響低減インデックスのプロットである。
【発明を実施するための形態】
【０１４９】
本発明の原理は、このさまざまな実施形態によって図示されることとなる。しかし、当業者は、本発明の詳細な説明に実際に示されて説明されているもの以外の実施形態を考えることが可能であるということ、および、本発明の範囲は、独立請求項によって定義されているということが理解される。
【０１５０】
以下で使用されている専門用語を明確にするために、「モジュール」は、フロント・フェイス（関連の開／閉メカニズムを備える）および音響吸収デバイスまたは手段（たとえば、音響吸収バットのようなもの）を含むエンティティーである。いくつかの実施形態では、モジュールは、フレーム構造体をさらに含むことが可能であり、フレーム構造体は、たとえば、音響吸収デバイスまたは手段をモジュールの他のパーツに取り付けるために使用され得り、または、フレーム構造体は、オプションとして、モジュールを境界部に取り付けるために使用され得る。また、フレーム構造体は、フレーム構造体によって支持される側面および後方面をモジュールに提供するために使用され得り、その側面および後方面は、音響エネルギーがこれらの面を通って音響吸収デバイスまたは手段に到達することを大きく防止する。モジュールの例示的な実施形態が、図１８に示されており、上述の側面および後方面が、図１９に図示されている。
【０１５１】
図１を参照すると、本発明の第２の態様によるシステムの実施形態の概略斜視図によって、本発明の基本的概念が図示されている。
【０１５２】
図１に示されているシステムは、参照番号１によって全体的に指定されており、本発明の第１の態様による１０個のモジュールを含む。これらのモジュールは、使用時に、適切な取り付け手段２によって、部屋の１つまたは複数の境界部の上に装着されている。モジュールは、参照番号４によって全体的に指定されているフロント・フェイスを含み、そのフロント・フェイスは、示されている実施形態では、複数の長手方向に延在するスラット５を含み、開口部６が、隣接するスラット５同士の間に長手方向に設けられている。これらの貫通開口部６は、モジュールの外側の外部領域７からモジュールの内側の内部領域３へのアクセスを提供する。貫通開口部６は、貫通開口部が開放状態になっているときに、音響エネルギーが外部領域７から内部領域３へ通ることを可能にする。貫通開口部６を閉鎖するように構成された手段が、それぞれのモジュールの内側に設けられており、音響エネルギーが外部領域７から内部領域３へ通ることができないようになっている。これらの開／閉手段は、以下では非限定的な例によって説明されることとなる。
【０１５３】
本発明によれば、音響エネルギーが領域７を介して被覆シート８および貫通開口部６（貫通開口部６が開放状態になっているときに）を通って内部領域３に進入することを可能にする材料および構築の被覆シート８が、システムを形成するために、モジュールのフロント・フェイス４に取り付けられ得る（示されている例では、１０個のモジュール）。したがって、外見的に切れ目のない表面８が、システムのモジュールをカバーするように提供され得り、モジュールがその中に据え付けられている部屋の中の人によって、個々のモジュールが見られることができないようになっている。
【０１５４】
単一のシートよりも多くのシートが、本発明にしたがって使用され得る。したがって、シートは、複数の個々のシートまたは部分から構成され得る。したがって、たとえば、実際的な据え付けでは、シートは、１列の中に５つの単一モジュールをカバーするように寸法決めされ得る（すなわち、シートは、モジュールの高さに対応する１つの寸法を有している）。また、シートは、個々のモジュールのスラットのうちのすべてまたはいくつかにわたって長手方向に延在する細長いパネルを含むことが可能である。
【０１５５】
本発明のある実施形態では、シート８は、化粧板から作製されており、化粧板は、少なくとも、モジュールのフロント・フェイス４の中の貫通開口部６をカバーする化粧板の領域に、穿孔を設けられている。化粧板は、必要な場合には、フロント・フェイス４と化粧板６との間に設けられる、たとえば、石膏ボード材料または繊維セメント・ボード材料の中間シートまたはパネルに取り付けられ得る。システムが音響的に最適に機能するようにするために、穿孔および中間シートの空気流抵抗は、可能な限り低くなければならない。
【０１５６】
モジュール、ならびに、本発明によるモジュールおよびシステムが部屋（その部屋の中にモジュールまたはシステムが設けられている）の残響時間を変更することができる様式が、以下に説明されることとなる。
【０１５７】
図２を参照すると、本発明の実施形態によるモジュールの概略断面表現図が示されている。モジュールは、壁部または天井などのような、部屋の境界部１１の上に装着されている。モジュールは、フロント・フェイス４を含み、フロント・フェイス４は、スラット５と、隣接するスラット同士の間に設けられた貫通開口部６を含む（ここでスラットと称されるフロント・フェイスの部分は、代替的に、たとえば、図１６に示されているように、フロント・フェイス自身の部分であり、これらの部分の間に貫通開口部が設けられた状態になっていることが可能であるということが理解される）。貫通開口部６は、図２および図４に示されているようにヒンジ１３によって枢動可能に取り付けられているプレート９または他の適切な閉／開部材によって閉鎖され得る。プレート９は内向きに開くので、シート８（図１を参照）は、フロント・フェイス４に対して同一面上になるように装着され得る。
【０１５８】
また、図１から明らかであるように、この実施形態によるモジュールは、フレーム構造体（図２の中の参照番号１０および１４によって示されている）を含み、フレーム構造体は、サイド・ポスト１０および横方向ポスト１４を含む。図２では、モジュールは、横方向ポスト１４を介して壁部部分１１に取り付けられている。モジュールのフレーム構造体は、内側スペース３を生成させる。この内側スペース３では、音響吸収デバイスが設けられており、音響吸収デバイスは、示されている実施形態では、音響吸収材料１２から構成されている。示されている実施形態では、音響吸収材料は、プレートまたはスラブまたはバットから構成されており、それは、モジュールの幅ｗ全体にわたって、横方向におよび長手方向に（すなわち、図の平面に対して垂直の方向に）延在しているが、音響吸収材料は、代替的に、横方向ポスト１４まで内側スペース３全体を充填することが可能である。音響吸収材料は、たとえば、ミネラル・ウール、たとえば、１０ｃｍの厚さのスラブ、および、空気の領域（たとえば２５ｃｍなどのような、適切な値の厚さｄ１を有する）の組み合わせから構成され得る。また、スペースを節約するように、より小さい距離ｄ１によって低い周波数における吸収を増加させるために、内部スペース３の中に膜吸収体を含むことが可能である。ミネラル・ウールのスラブ１２は、最大の音響吸収を生み出す壁部１１からの距離に設けられなければならず、すなわち、内部スペース３の中に生成される音響場の粒子速度が可能な限り大きくなる内部スペース３の中の領域に設けられなければならない。
【０１５９】
周囲からの音響エネルギーは、貫通開口部６のみを介して内側スペース３に進入することが可能であり、貫通開口部が開放状態になっているときだけ、音響吸収が実現されるようになっているということが重要である。これは、（図１９に概略的に示されているように）パネル（図１９の中の参照番号９６、９７、９８、および９９）を備えたフレーム構造体１０を提供することによって実現され得り、パネルは、周囲から内側スペース３を音響的に遮蔽する。そのようなパネルは、所望の通りに、単一のモジュールに適用されるか、または、複数のモジュールを含むグループに適用され得る。また、フレーム構造体１４は、被覆パネルを設けられてもよい（境界部１１に取り付けられているフレーム構造体を介して、音響エネルギーが内側領域３に到達できないということを保証するために、これが必要であるとみなされる場合）。
【０１６０】
ミネラル・ウールが使用されているケースでは、ミネラル・ウール繊維が広がることを防止するバッグまたはホースの中にこれを包むことが必須である。ホースの材料は、本発明によるモジュールおよびシステムの中のすべての他のエレメントと同様に、Ｂ，Ｓ１−ｄ０防火規格（または、それらが使用される国に応じて、他の防火規格）に準拠しなければならず、また、依然として、空気流のために多孔性でなければならない。
【０１６１】
低い周波数において大きい吸収係数を取得するために、壁部部分１１から音響吸収材料への距離は、少なくとも１０ｃｍであることが推奨される。
【０１６２】
境界部（たとえば、壁部または天井など）の上に装着されているときに、モジュールは、部屋（その部屋の中にモジュールが装着されている）に向けて外側表面を画定しなければならず、それは、モジュールが閉鎖状態になっているときに、実質的に音響的に緊密である。したがって、開／閉メカニズムは、絶対的に可能な限り近いスラットの隣接する部分にシールを提供するということが本質的である。同様に、隣接するモジュール同士の間の接続は、可能な限り音響的に緊密でなければならない。そうでなければ、音響エネルギーは、貫通開口部６が音響的に緊密に閉鎖しているとしても、隣接するモジュール同士の間の小さいスリットまたは開口部を通過することとなる。
【０１６３】
スラット５は、好ましくは、貫通開口部６の閉鎖状態における低い周波数においても低い吸収値を取得するために、すなわち、閉鎖状態における低い周波数においても高い程度の音響反射を取得するために、１５ｋｇ／ｍ２以上の表面重量を保証する材料から作製され得る。好ましくは、０．２未満の音響吸収係数が、１２５Ｈｚオクターブ・バンドにおいて取得されるべきである。
【０１６４】
図３（ａ）および図３（ｂ）を参照すると、本発明によるモジュールのフロント・フェイスの後方に関する開／閉メカニズムの実施形態が示されている。
【０１６５】
したがって、図３（ａ）は、モジュールのフロント・フェイス４の後方の概略図を示している。フロント・フェイス４には、上記に説明されているような貫通開口部６が設けられている。プレート９は、モジュールのフロント・フェイスフレーム３に枢動可能に接続されており、プレート９が、（図３（ａ）に示されているような）開放状態と（図３（ｂ）に示されているような）閉鎖状態との間で枢動することができるようになっている。接続部材１５が、プレート９のそれぞれに取り付けられており、接続部材１５は、プレート９の後方表面をバー１６と接続させており、バー１６は、接続部材１５のそれぞれに枢動可能に接続されている。リニア・アクチュエーター１９のアクチュエーター・アーム１８は、バー１６に枢動可能に接続されている。アクチュエーター・アーム１８が、図３（ａ）に示されているような延長された状態になっているときには、プレート９は開放状態になっており、一方、アクチュエーター・アーム１８が、図３（ｂ）に示されている位置へ後退しているときには、プレート９が、それらのそれぞれのヒンジ手段の周りに枢動させられ、閉鎖状態へ持って行かれ、閉鎖状態では、プレート９は、フロント・フェイス４の中のそれぞれの貫通開口部６を閉鎖する。実質的に音響的に緊密に閉鎖することは、たとえば、閉鎖しているプレート９とスラットの後方部分との間の接触領域において、スラットの後方部分の上に磁気テープを設ける事によって取得され得る。実質的に音響的に緊密に閉鎖することを保証するために、磁気材料を適用することは、より詳細に以下に説明されることとなる。アクチュエーターは、たとえば、電気アクチュエーターまたはソレノイドであることが可能であり、それは、たとえばオペレーターの制御下において、制御ユニットからの電流をそれに提供することによって制御され得る。
【０１６６】
たとえば軟質プラスチック材料の絶縁ストリップ２０が、プレート９の表面の上に設けられ得る。これらのストリップ２０のサイズは、対応する貫通開口部６のサイズに対応していることが可能であり、また、メカニズムの閉鎖状態において、それらが少なくとも全体的に貫通開口部６を通って延在するような厚さを有している。これらの手段によって、貫通開口部６の前の穿孔されたシート８からの望まれない恒久的な吸収は、メカニズムが閉鎖状態になっているときに、著しく低減され得る。
【０１６７】
図４を参照すると、閉鎖状態の、図３に示されている本発明の実施形態によるモジュールの概略詳細図が示されている。図４は、モジュールが取り付けられている壁部部分１１と、モジュールの内部スペース３の中に設けられている音響吸収材料のスラブ１２とを示している。モジュールのフロント・フェイスの中のスラット５のうちの３つが示されており、隣接するスラット５同士の間の貫通開口部６（図３を参照）は、示されているように、プレート９によって閉鎖されている。外側表面（外側領域７の方を向いている）の上に、軟質プラスチックまたは同様のストリップ２０が設けられており、それは、それぞれのスラット５の間の開口部６を実質的に充填している。モジュールのフロント・フェイスの上には、穿孔されたシート８（または、少なくともフロント・フェイスの中の貫通開口部６に対応する領域において、穿孔を備えたシート）が設けられている。示されている実施形態では、ストリップ２０は、プレート９の外側表面から穿孔されたシートの内側表面へ延在しており、したがって、貫通開口部６の上に横たわるその領域の中の穿孔されたシートからの吸収を最小化する。
【０１６８】
図３（ａ）および図３（ｂ）に示されている開／閉メカニズムに対する代替例として、複数の代替的なメカニズムが使用され得る。１つのそのような代替的な実施形態では、開／閉プレート９は、それらが開放状態と閉鎖状態との間でフロント・フェイスの内側表面の上のスライディング移動を経験することができるように装着されている。また、これは、被覆シートがフロント・フェイスの外側表面に対して同一面上になるように設置されることを可能にすることとなる。また、この開／閉メカニズムは、図３（ａ）および図３（ｂ）に示されているものと実質的に同様のアクチュエーター配置によって動作され得る。代替的な開／閉メカニズムのいくつかの例が、図１２および図１３に示されており、より詳細に以下に説明されることとなる。
【０１６９】
図５を参照すると、本発明の実施形態によるシステムの概略表現図が示されており、そのシステムは、ユーザーが操作可能な制御ユニットを設けられている。
【０１７０】
図５に示されているシステム１は、図１に示されているものと同様のセットアップにおける、本発明の第１の態様によるモジュールＭ１からＭ１０を含む。それぞれの個々のモジュールＭ１からＭ１０は、ライン２１から３０を介して中央制御ユニット３１に接続されており、中央制御ユニットが、上記に説明されているように、それぞれの個々のモジュールの中の貫通開口部６の開／閉を制御することができるようになっている。ユーザーは、適切なユーザー・インターフェース３２を介して制御ユニット３１と通信することが可能であり、適切なユーザー・インターフェース３２は、ライン３４を介して制御ユニット３１に機能的に接続されており、それによって、モジュールＭ１からＭ１０がその中に提供されている部屋の残響時間を制御する。適切な残響時間が取得されたときには、それぞれの個々のモジュールの対応するセッティング（開／閉状態）が、取得された残響が最適であるとみなされた性能の種類の説明とともに、電子メモリー３７の中に記憶され得る。電子メモリー３７は、それぞれ、ライン３５および３６を介して、制御ユニット３１およびユーザー・インターフェース３２と協働することが可能である。
【０１７１】
（図５の中のシステムによって例示されているような）複数のそのような制御可能なモジュールを含むシステムを形成するために、本発明の第１の態様によるモジュールを使用することは、システムがその中に据え付けられている部屋の残響時間ＲＴを幅広い限界値の中で変化させることを可能にする。したがって、システムを形成する複数のモジュールを埋め込むことは（そのシステムにおいて、個々のモジュールの音響吸収係数αが、非常に高いα値（低い周波数において最大で１に近い）と非常に低いα値（ライブ・パフォーマンスに関して、関心の可聴周波数範囲の全体を通して０．２を下回って下方へ）との間で変化され得る）、幅広いスパンの音楽のジャンルに関して最適な音響的条件を実現するのに十分な音響的可変性に到達する可能性を与える。例として、８０００ｍ３のホールは、低い周波数において、１．２秒（ポップ・ミュージックおよびロック・ミュージックに関して）から、聖歌隊またはチェンバー・ミュージック・アンサンブルなどのような小さい音響グループに関して、２．４秒へ、ＲＴ可変性を必要とする。ＲＴに関してＳａｂｉｎｅの式を使用して、この２の可変性因子は、中間のおよび低い周波数において、大きい音響吸収エリア、および、音響吸収係数αの大きい可変性（本文脈において、モジュールの開放状態と閉鎖状態との間の差）を必要とする。ＮＳ  ８１７８（ノルウェー規格「Ａｃｏｕｓｔｉｃ  ｃｒｉｔｅｒｉａ  ｆｏｒ  ｒｏｏｍｓ  ａｎｄ  ｓｐａｃｅｓ  ｆｏｒ  ｍｕｓｉｃ  ｒｅｈｅａｒｓａｌ  ａｎｄ  ｐｅｒｆｏｒｍａｎｃｅ」）が参照される。他のタイプのライブ・パフォーマンスに関して、および、公会堂、劇場ホール、または映画館としての部屋の使用に関して、１．２秒から２．４秒の間の残響時間が最適である可能性がある。そのような中間残響時間は、システムを形成するモジュールのうちのいくつかを閉鎖することによって、および、システムの他のモジュールを開放することによって、本発明にしたがって取得され得る。したがって本発明によるシステムを使用して、オペレーターが個々のモジュール、または、システムを形成するモジュールのグルーピングの開／閉状態を選び、特定のタイプの部屋の用途のために最適な残響時間を取得することが可能になる。開放モジュールおよび閉鎖モジュールの最適な選択肢が見出されると、同様のケースにおいて後に使用するために、この最適な選択肢（たとえば、特定の用途状況、および、システムの中のそれぞれの個々のモジュールの開／閉状態を含む記録）に関する情報をメモリー３７の中に記憶することがさらに可能になる。
【０１７２】
図６を参照すると、システムの中のモジュールのフロント・フェイス４に対して反対のシステムの側から見たときの、すなわち、システム３８が装着されることとなる部屋またはホールの境界部に面するシステム３８の側から見たときの、参照番号３８によって全体的に示されている、本発明の実施形態によるシステムの概略斜視図が示されている。それぞれのモジュールは、参照番号２によって示されている。図６に示されているシステムは、１０個のモジュールを含み、また、図１に示されているシート８の省略を除いて、図１に示されているものに対応している。説明の明確化のために、「長手方向の」および「横断方向の」という用語が、図の中のそれらの対応する軸線によって定義されている。システム／モジュールの深さまたは厚さが、それらのｚ軸の方向への延在になっている。
【０１７３】
図７を参照すると、フロント・フェイスに向かう方向から見たときの、すなわち、システムが装着されることとなる境界部から離れる方を向くシステムの側から見たときの、本発明の実施形態によるシステムの概略斜視図が示されている。システムは、（図１および図６のような）この例示的な実施形態では、１０個のモジュールを含み、細長いスラット５を含むフロント・フェイスが、それぞれの個々のモジュールの隣接するスラット５同士の間に細長い貫通開口部６を設けられた状態になっている。それぞれのモジュールに関して、フレーム構造体は、反対側の端部部分３９および反対側のサイド部分４０を含み、それらは、フロント・フェイスおよび境界部（その上にモジュールが装着されている）とともに、モジュールの内側領域を画定しており、音響吸収デバイス、たとえば、音響吸収材料のスラブなどが、モジュールの内側領域の中に設けられている。上記に述べられているように、モジュールのグルーピングの周囲部を表す端部部分３９およびサイド部分４０は、周囲から端部部分３９およびサイド部分４０を通してモジュールの内側スペースの中の音響吸収材料への音響アクセスを防止するパネルを設けられなければならない。
【０１７４】
図７に示されているモジュールの実施形態によって、２つの隣接するモジュールの隣接する横方向スラットは、図７の中の４１において示されているように、２倍の幅の単一のスラットとして視覚的に現れる。システムが（図１に示されているような）被覆シート８によってカバーされていないときには、個々のスラット５のフロント・フェイスによって形成される合計表面は、したがって、視覚的に均一になっていない。システムの視覚的に均一な表面は、被覆シート８によって取得され得るが、代替例として、スラットがモジュールの一方の長手方向の縁部部分に沿って延在し、開口部がモジュールの反対側の長手方向の縁部部分に沿って延在する、スラットおよび貫通開口部のパターンをそれぞれのモジュールに提供することによって、視覚的に均一な外側表面を提供することも可能である。
【０１７５】
図８（ａ）および図８（ｂ）を参照すると、本発明によるモジュールの実施形態によって取得される周波数の関数として、音響吸収係数の例が示されている。図８（ａ）は、モジュールの開放状態での音響吸収係数の１／３−オクターブ測定を示しており、図８（ｂ）は、モジュールの閉鎖状態での音響吸収係数の１／３−オクターブ測定を示している。それは、非常に高い音響吸収係数が、中間のおよび低い周波数範囲において、開放状態の本発明によるモジュール／システムによって取得され得るということを明確に明らかにしている。また、それは、音響吸収係数が、より高い周波数において、所望のより低いレベルに維持され得るということを明らかにしている。
【０１７６】
図８（ａ）および図８（ｂ）に示されている測定は、テスト方法ＥＮ  ＩＳＯ３５４：２００３にしたがって残響部屋の中で実施された。認証された報告が入手可能である。
【０１７７】
モジュールの閉鎖状態での低い音響吸収係数値は、十分に重いフロント・フェイス／閉鎖プレートと、実質的にフロント・フェイスの中の貫通開口部の周囲部全体に沿って設けられている磁気的なストリップなどのような、説明されているリテイニング手段の適用によって、本発明にしたがって取得されるような閉鎖手段の十分に音響的に緊密な閉鎖との組み合わせから結果として生じる。示されている測定値は、実質的に貫通開口部の周囲部全体に沿って適用された磁気テープ（実用的に弾力性はない）とともに、２ｍｍの厚さを有するスチールから作製されたフロント・フェイスおよび閉鎖プレートを備えたモジュールに関連する。２ｍｍ厚さのスチール・プレートの単位面積当たりの質量は、おおよそ１６ｋｇ／ｍ２である。
【０１７８】
このケースでは、音響吸収デバイスは、フロント・フェイスから境界部へ合計で４０ｃｍ深さの構築の中でフロント・フェイスの後方側に可能な限り近くに設置されている１０ｃｍ厚さのミネラル・ウールのバットである。モジュールの開放状態での音響吸収係数は、１２５Ｈｚオクターブから増加させられ得り、バットからモジュールの後ろ／上方の境界部（たとえば、壁部または天井など）への距離を増加させることによって下向きになる。
【０１７９】
１２５Ｈｚおよび２５０Ｈｚにおける音響吸収係数のバリエーションΔαは、部屋の残響時間の必要なバリエーションを取得することができるようにするために、モジュールの開放状態とモジュールの閉鎖状態との間で少なくとも０．５でなければならない。
【０１８０】
図９を参照すると、部屋の２つの境界部４４および４５の部分をカバーする本発明によるシステムの実施形態が示されており、ここで、第３の境界部４６は、モジュールを設けられていない。モジュールのシステムは、部屋の中に位置付けされた視聴者に均一な表面４７および４８を提示する。見られるように、モジュールのフロント・フェイスは、化粧板タイプ仕上げのシートによってカバーされている。
【０１８１】
図１０（ａ）および図１０（ｂ）を参照すると、本発明によるモジュールの２つの代替的な形状の例が示されている。
【０１８２】
図１０（ａ）は、６つのモジュール２を示しており、ここでは、モジュールのサイド部分４９の第１の縁部部分５０および第２の縁部部分５１が、異なる長さを有しており、モジュールのフロント・シート８が、モジュールが装着されている境界部に対して傾けられるようになっている。そのようなモジュールを使用することによって、図１０（ａ）に示されている設計が取得され得り、そこでは、異なるモジュールのフロント・シート８が、異なる方向に傾いている。モジュールが閉鎖状態になっているときに（その状態では、モジュールは、音響エネルギーを吸収しない）、この設計を使用することによって、望まれる場合には、モジュールのシステムの音響拡散効果が取得され得る。図１０（ａ）に示されている設計に対する代替例が、図１０（ｂ）に示されており、図１０（ｂ）では、モジュールが異なる深さを有しており、異なるモジュールのフロント・シート８が、モジュールが装着されている境界部から異なる距離に位置付けされるようになっている。また、この設計は、モジュールがそれらの閉鎖状態になっているときに、音響を拡散する効果を有することとなる。図１０（ａ）および図１０（ｂ）に示されている構成を形成する個々のモジュールのそれぞれは、側面、上部面、および底部面の上に、（ならびに、フロント・フェイスの反対側の後方面の上に、）音響不透過性のパネルを設けられており、それぞれのモジュールがその開放状態になっているときに、周囲からの音響エネルギーがフロント・フェイスの中の貫通開口部のみを介してそれぞれのモジュールの内部スペースに進入することができることを保証するようになっている。
【０１８３】
上記に述べられているように、モジュールが閉鎖状態になっているときに、周囲からモジュールの中の音響吸収デバイスへつながるフロント・フェイスの中の貫通開口部６の開／閉メカニズムが、貫通開口部の実質的に音響的に緊密な閉鎖を提供することができるということが非常に重要である。本発明によれば、これは、磁気的な閉鎖メカニズムによって達成され得り、磁気的な閉鎖メカニズムの例示的なおよび非限定的な実施形態が、以下に説明されることとなる。
【０１８４】
図１１を参照すると、本発明による開／閉メカニズムの第１の実施形態の概略表現図が示されている。フロント・フェイス５５の一部分は、閉鎖状態において、プレート部材５６によって閉鎖されており、プレート部材５６は、枢動アーム５７の上に設けられており、枢動アーム５７は、フロント・フェイスの部分のうちの１つに固定された取り付け部材５８の軸棒５９の周りに枢動することが可能である。枢動移動は、図１１の中の矢印Ａによって示されている。プレート部材５６の上、または、プレート部材５６に面するフロント・フェイスの対応する縁部部分の上のいずれかに、たとえば、これらの部分の上に磁気リボンを適用することによって、磁気材料６０が設けられている。これの例が、図２０に示されている写真に示されている。このように、フロント・フェイスの中の貫通開口部の縁部部分とプレート部材５６の対応する部分との間の接触領域全体は、閉鎖状態において、磁気材料によって提供される磁力によって、固くおよび音響的に緊密に、一緒に保持されている。枢動アーム５７およびプレート部材５６の必要とされる枢動移動は、枢動アーム５７に適切に連結されているアクチュエーターによって取得される。作動メカニズムの実用的な実装形態の例が、図１４に関連して説明されることとなる。
【０１８５】
閉鎖プレート部材（たとえば、図２および図３（ａ）の中の９、図１１の中の５６、図１２（ａ）および（ｂ）の中の６３、図１３の中の７１、ならびに、図１４の中の８６）の慣性モーメントおよびリジッド性は、閉鎖プレート部材の上にＬ字プロファイルまたはＵ字プロファイルを装着することによって（または、Ｌ字プロファイルまたはＵ字プロファイルとしてこれらを形成することによって）強化され得る。これは、閉鎖プレート部材を十分にリジッドにするために必要なヒンジ（たとえば、図１１の中の枢動軸棒５９、または、図２の中のヒンジ１３など）の数を最小化するという有利な効果を有することとなる。同様に、フロント・フェイスの後方側にＬ字プロファイルまたはＵ字プロファイルを装着することによって、フロント・フェイスはより高い剛性を与えられ得る。
【０１８６】
図１２（ａ）を参照すると、本発明による開／閉メカニズムの第２の実施形態の概略表現図が示されている。この実施形態では、フロント・フェイス６１、６２の中の貫通開口部６の閉鎖は、概してＵ字形状のスライディング・プレート部材６３、６３’、６３”によって達成される。閉鎖状態では、レッグ部６３’および６３”は、それぞれフロント・フェイス６１および６２の隣接する部分のそれぞれ対応するＬ字形状の縁部部分６１’、６２’と接触した状態にそれぞれ持って行かれる。磁気材料６４、６５、たとえば、磁気リボンは、スライディング・プレート部材６３のレッグ部分とフロント・フェイス６１、６２の対応するＬ字形状の縁部部分６１’、６２’との間のそれぞれの接触領域の中に挿入されている。矢印Ｂによって示されているような必要とされるスライディング移動は、リニア・アクチュエーター６８によって達成され得り、リニア・アクチュエーター６８のアクチュエーター・アーム６７は、適切なブラケット６６によってスライディング・プレート部材６３に取り付けられている。開／閉メカニズムのこの実施形態は、図の中のｓ１によって示されているように、フロント・フェイスおよび開／閉メカニズムの非常にスリムな構成を促進させる。
【０１８７】
図１２（ｂ）を参照すると、上方から見られたときの、すなわち、図１２（ａ）に示されているアクチュエーター手段を含むモジュールの側から見られたときの、第２の実施形態による開／閉メカニズムが示されている。モジュールが閉鎖状態になっているときに、開／閉メカニズムは、フロント・フェイスの中の貫通開口部６の実質的に音響的に緊密な閉鎖を提供しなければならないので、スライディング・プレート部材６３は、エクステンション１０３によって横方向に延在され得り、エクステンション１０３は、図１８に関連してより詳細に説明されることとなる長手方向に延在するサイド・パネル９６および９７の中の対応する長手方向の溝部１０４の中にぴったりとフィットしている。必要な場合には、小さいクリアランスｄが、エクステンション１０３の横方向縁部部分と溝部１０４との間に提供され得るが、エクステンションが、溝部の中に可能な限りぴったりとフィットし、その閉鎖状態において、モジュールの実質的に音響的に緊密な閉鎖を提供するということが重要である。
【０１８８】
図１３を参照すると、本発明による開／閉メカニズムの第３の実施形態の概略表現図が示されている。フロント・フェイス７０の中の貫通開口部６を開放することおよび閉鎖することは、図１２に示されているものと同様であり、フロント・フェイス７０の中の貫通開口部６を閉鎖するように構成されているプレート部材７１を含む。磁気材料７２、たとえば、磁気リボンなどが、プレート部材７２の対応する縁部部分とフロント・フェイス７０との間の接触領域の中に設けられている。リニア・アクチュエーター７４のアクチュエーター・シャフト７３が、プレート部材７３に取り付けられており、アクチュエーター７４が、図１３に示されているような閉位置と開位置との間でプレート部材７１を移動させることができるようになっており、その移動は、矢印Ｃによって示されている。開／閉メカニズムのこの実施形態は、その単純性に起因して有利であるが、図１２に示されているものよりも大きいフィッティング深さｓ２を必要とし、開／閉メカニズムの（および、モジュール全体の）フィッティング深さが重要な問題でないケースでは、有利な解決策であることとなる。
【０１８９】
図１４を参照すると、本発明による開／閉手段の別の実施形態の概略説明図が示されている。閉鎖プレート７１は、フロント・フェイス７０に枢動可能に取り付けられており、閉鎖プレート７１が、フロント・フェイス７０に極めて近接する軸棒７１’の周りに枢動することができるようになっている。適当なアクチュエーターまたはモーターが、矢印Ｆによって示されている方向にロッド１３１を駆動し、それによって、閉鎖プレート７１は、フロント・フェイス７０の中の貫通開口部６を閉鎖する。枢動軸棒７１’の反対側のこの縁部部分に沿って閉鎖プレート７１のリジッド性を増加させるために、閉鎖プレート７１は、示されているように、縁部部分に沿ってＬ字プロファイル１２９を設けられている。代替的に、閉鎖プレート７１自身は、一体化されたＬ字形状の（または、他の適当に形状決めされた）縁部部分によって設計され得る。閉鎖状態では、ロッド１３１は、枢動軸棒７１’の反対側の閉鎖プレートの縁部部分を、矢印Ｆによって示されているように、貫通開口部の対応する縁部部分に固く押し付け、それによって、この縁部部分、ひいては、閉鎖プレート７１全体が、貫通開口部に存在する音響場と調和して振動することが効果的に防止される。そのうえ、貫通開口部に隣接するフロント・フェイスの縁部部分は、締結手段１３０、たとえば、フェルトまたはゴムリボンを設けられ得る。
【０１９０】
図１５を参照すると、フロント表面または外部表面７５’（図では見ることができない）を備えたフロント・フェイスの実用的な実装形態の例の斜視図が示されており、本発明の実施形態によるモジュールのアクチュエーターは、図１１に示されている実施形態による開／閉メカニズムの実施形態を示している。フロント・フェイスは、フレーム構造体７５を含み、フレーム構造体７５は、内向きに（すなわち、モジュールの内部に面する（音響吸収デバイスまたは材料がその内部の中に位置付けされている））曲げられた縁部部分７６、７７と、フロント・フェイス７８の後方側の上に装着されているＬ字プロファイル７８とを含み、それらは、リジッド性を構造体に付加している。アクチュエーター７９は、８０’において支持構造体８０に枢動可能に取り付けられており、支持構造体８０は、フロント・フェイスのフレーム構造体に固く取り付けられている。したがって、動作の間に、アクチュエーター７９は、取り付け部８０’の周りに枢動することが可能である。アクチュエーター・シャフト８１は、枢動軸棒８３を介してバー８２に枢動可能に取り付けられており、バー８２は、フロント・フェイスに対して実質的に平行に移動することが可能である。図は、複数の枢動アーム８５を示しており、その一方の長手方向の端部は、開／閉プレート部材８６に取り付けられており、その他方の長手方向の端部は、参照番号８７によって示されているように、フレーム構造体／フロント・フェイスに（ヒンジによって）枢動可能に取り付けられている。枢動アーム８５の長手方向の端部部分において、枢動アームは、長手方向に延在するバー８２に枢動可能に取り付けられている。アクチュエーター・シャフト８１が、図１４に示されているように、その延長された位置になっているときには、開／閉プレート部材８６は、（上記に説明されている磁気的なクロージャー手段の存在に起因して）実質的に音響的に緊密にフロント・フェイスの中の貫通開口部６を閉鎖しており、また、アクチュエーター・シャフトが後退するときには、枢動アーム８５は、枢動軸棒８７の周りに回転し、開／閉プレート部材８６は、フロント・フェイスの中に提供されているそれぞれの貫通開口部６を開放する。
【０１９１】
図１６を参照すると、本発明の実施形態によるモジュールのフロント・フェイスのフロント表面７５’（図１５を参照）に向けて見たときのフロント・フェイスの実用的な実装形態の例の平面図が示されており、ここでは、モジュールのフロント・フェイス８８は、所定のパターンの貫通開口部８８’を設けられている。この実装形態は、図２および図４に関連して以前に説明されたもの（そこでは、厚さｔ（図４を参照）のスラット５がフロント・フェイス４を形成するように組み立てられている）以外の、本発明によるモジュールの代替的な実施形態である。それらの実施形態では、厚さｔは、比較的に大きく選ばれ得り、そのために、軟質プラスチック・ストリップ２０が、スラットによって形成された望まれないチャネルを閉鎖するために使用され得る。図１６に示されている実施形態では、貫通開口部８８’は、フロント・フェイスを形成するプレートの中に単純に切り抜かれており（または、その他の方法で提供される）、フロント・フェイス（ひいては、貫通開口部）は、非常に薄くなっていることが可能である。フロント・フェイスを提供するこの様式は、製造の視点から有利であることとなる。さらに、本発明によるモジュールの閉鎖状態では、フロント・フェイスは、平面的なフロント表面を提供することが可能であり、平面的なフロント表面にシートが装着され得る。
【０１９２】
図１７を参照すると、上記に説明されているような本発明によるモジュールの実施形態のフロント・フェイス部分の実用的な実装形態の例、および、部屋の境界部にモジュールを取り付けるための取り付け構造体の実施形態の斜視図が示されている。示されている実施形態は、とりわけ（必ずしも排他的であるわけではないが）、天井から吊り下げられるモジュールに適している。フロント・フェイスは、開／閉メカニズムとともに、図１７および図１８の中の参照番号７５によって全体的に示されており、複数の細いバーまたはワイヤー８９によって天井に取り付けられており、そのうちの４つだけが、図１７および図１８に示されている。実際には、より多数のそのようなバーまたはワイヤーが、なかでもモジュールの実際の寸法に依存して使用され得る。バーまたはワイヤー８９は、取り付け部材９０、９１の中に終端しており、取り付け部材９０、９１は、バーまたはワイヤーへのフロント・フェイスの取り付けのために構成されている。取り付け手段９０の上側部分（すなわち、図１６において見られるようなフロント・フェイスの上方の一部分）は、構造体９２、９３、９４のためのサポート／取り付けを提供するように構成されており、構造体９２、９３、９４は、図１７に例示されているように、この構造体の上に音響吸収デバイス／手段を支持するように構成されている。
【０１９３】
図１８を参照すると、本発明によるモジュール、および、モジュールを部屋の境界部（たとえば、天井など）に取り付けるための取り付け構造体の実施形態の実用的な実装形態の例の斜視図が示されており、ここでは、モジュールは、モジュールのフロント・フェイスを通る貫通開口部６の上方に音響吸収バット９５を設けられており、音響吸収バット９５は、上記に説明されている支持構造体９２、９３、９４の上に設置されている。しかし、バット９５以外の種類の音響吸収手段が、代替例としてまたはバット９５と組み合わせて使用され得るということが理解される。たとえば、本発明によるモジュールによって取得されたＬＦ音響吸収を狭帯域音響吸収（狭帯域音響吸収は、適切なチューニングされたヘルムホルツ共鳴器音響吸収体によって得られ得る）によって補完するために、ヘルムホルツ共鳴器タイプの１つまたは複数の音響吸収体は、フロント・フェイスの中の１つまたは複数の貫通開口部と音響的に連通して、フロント・フェイスの上方に設置され得る。
【０１９４】
繰り返して上記に述べられているように、閉鎖状態のモジュールは、実際に、周囲に対して実質的に音響的に緊密に閉鎖され、音響エネルギーが、モジュールの中の（または、本発明による複数のモジュールを含むシステムの中の）非意図的な開口部またはスリットを通して、モジュールの中の音響吸収デバイスに到達することができないようになっているということが非常に重要である。
【０１９５】
図１９を参照すると、モジュール本発明による実施形態の概略斜視部分的分解図が示されており、ここでは、モジュールのサイド部分が、プレート・エレメント９６、９７、９８、および９９によって閉鎖されており、音響吸収デバイス（たとえば、示されている実施形態では、音響吸収バットなど）を含有するモジュールの内部スペースに、周囲の音響的エネルギーが到達することを防止する。
【０１９６】
図２０を参照すると、図１１に示されている第１の実施形態による開／閉メカニズムの実用的な実装形態の例を示す写真が示されている。写真では、フロント・フェイスは、開放状態になっている。
【０１９７】
図２１を参照すると、フロント・フェイスの後方側から見た、本発明の実施形態によるモジュールの写真が示されており、１つの実用的な実装形態を示しており、ここでは、フロント・フェイスの中の貫通開口部８８の縁部部分は、すべて、磁気テープまたはリボン１００、１０１、および１０２を設けられている。
【０１９８】
図２２を参照すると、本発明による閉鎖手段の極めて概略的な説明図が示されている。フロント・フェイス１０３は、貫通開口部１０４を設けられており、第１の閉鎖領域１０６が、周囲部１０５全体に沿って設けられている。閉鎖プレート１０７は、ヒンジ１０８の上に枢動可能に装着されており、閉鎖プレート１０７は、矢印Ｄによって示されているように移動させられるときに、貫通開口部を閉鎖することができるようになっている。閉鎖プレート１０７は、閉鎖状態において貫通開口部を実質的にカバーする領域１０９と、第１の閉鎖領域１０６に実質的に対応する第２の閉鎖領域１１０とを含む。必要とされる貫通開口部の音響的に実質的に緊密な閉鎖を取得するために、それぞれの閉鎖領域は、本発明によれば、貫通開口部の閉鎖状態において、互いに接触した状態に維持されなければならず、閉鎖プレート１０７がフロント・フェイスに対して実質的に垂直の方向への移動を経験することを効果的に防止されるようになっている。これを保証することができる手段の例は、図１１、図１２、および図１３に示されている磁気材料、ならびに、図２３に示されている機械的な手段である。これらの手段、および、同様の効果を取得する他の手段は、リテイニング手段と集合的に称される。
【０１９９】
図２３を参照すると、開／閉メカニズムが図示されており、図１１に示されている磁気的な手段が、図２３に示されている実施形態において、閉鎖プレート１１１が閉鎖状態になっているときに、閉鎖プレート１１１の縁部部分１１７を収容するように形成された弾性プロファイル１１８の形態の機械的なリテイニング手段によって交換されているということを除いて、その開／閉メカニズムは、大きい範囲において図１１に示されているものと同様である。弾性プロファイル１１８と係合させるようにおよび係合から外すように縁部部分１１７を移動させることは、アクチュエーターによって、または、図２３には示されていないモーターによって印加される力を必要とする。望まれる場合には、締結手段１１５および１１６（たとえば、軟質プラスチック）が、貫通開口部１１４の縁部領域に設けられ得る。
【０２００】
上記に説明されているモジュールの開／閉メカニズムは、それぞれのモジュールのための別々のアクチュエーターまたはモーターによって駆動されているが、本発明によれば、単一のアクチュエーターまたはモーターによって、複数のモジュールの開／閉メカニズムを駆動することが可能である。これの例示的な実施形態が、図２４（ｂ）に概略的に示されており、図２４（ｂ）では、図２４（ａ）に示されているタイプ（それぞれのフロント・フェイスの中に、図２４（ａ）のように４つではなく、６つの開口部を備えているが）の２つの隣接するフロント・フェイス１２７および１２８が、それぞれ、ロッド部材１２９によって機能的に接続されている。たとえば、フロント・フェイス１２７は、図２４（ａ）に示されている様式でアクチュエーターまたはモーターを設けられ得り、バー１２２に枢動可能に取り付けられており、それによって、約上記に説明されている様式で、それぞれの枢動軸棒１２０の周りに閉鎖プレート１１９を枢動させることができる。ロッド部材１２９によって提供される接続に起因して、第２のフロント・フェイス１２８の閉鎖プレート１２６は、第１のフロント・フェイス１２７の閉鎖プレート１１９と調和して、それらのそれぞれの枢動軸棒１３０の周りに枢動させられる。
【０２０１】
システムの中のモジュールが、互いに隣接して据え付けられているときには、隣接するモジュールの対応するサイド部分の間の音響的に緊密な接続を保証することが重要である。図２４では、図の上部に示されているモジュールは、スクリュー孔部を設けられており、隣接するモジュールが、スクリュー孔部によって、一緒にネジ止めされ得る。場合によってはシーラントによって補完されるゴムプロファイルなどのような締結手段は、これらが一緒にネジ止めされる前に、隣接するモジュールのサイド表面同士の間にさらに導入され、隣接するモジュール同士の間の締結を改善することが可能である。
【０２０２】
図２５を参照すると、本発明のフロント・フェイスの開／閉メカニズムの音響的に緊密な閉鎖を提供するために使用される磁気的な手段の代替的な実施形態が示されている。この実施形態では、複数の磁石１３０が、たとえば軟質プラスチックのストリップ１３１の中に設けられている。磁石は、永久磁石または電磁石のいずれかであることが可能である。
【０２０３】
図２６を参照すると、例として、本発明において使用されるフロント・フェイスおよび閉鎖プレートを形成するために使用され得る、１６ｋｇ／ｍ２の単位面積当たりの質量を有する２ｍｍ厚さのスチール・プレートの音響低減インデックスのプロットが示されている。
【０２０４】
本発明は、上記に説明されている実施形態に関連して説明されてきたが、本発明の範囲を逸脱することなく、多くの他の可能な修正例および変形例が作製され得るということが理解されるべきである。したがって、たとえば、異なる種類の材料が、所与の部屋もしくはホールの特定の要求にしたがって、被覆シート８のために使用され得り、ならびに／または、被覆シートの中で使用される穿孔の異なる穿孔のサイズおよび密度も使用され得る。また、スラットとして木製のプロファイルを提供することも可能である。ギャップが、２つの近隣のモジュールの隣接するスラットの上に提供され得り、それは、モジュールを１つの視覚的に連続的なユニットとして見えるようにすることとなる。また、同じ物理的な寸法であるが、説明されている音響吸収手段の代わりに、たとえば、音発生手段、たとえば、ラウドスピーカーまたは音信号提供手段（アラームなど）などを含むモジュールと、本発明の第１の態様によるモジュールのうちの１つまたは複数を交換することが可能であることとなる。したがって、たとえば、それぞれの個々のモジュールは、モジュールが欠陥のある状態になった場合に通知信号を放出する音放出手段を設けられ得る。
【０２０５】
そのうえ、本発明によるモジュールおよび対応するフロント・フェイスは、全体的に、部屋の外部領域またはスペースに面する平らな表面を有するものとして説明されてきたが、これは、限定ではない。その理由は、モジュールおよび対応するフロント・フェイスは、代替的に、外部領域またはスペースに面する湾曲した表面を有することが可能であり、また、そのような湾曲した形状も本発明の範囲内にあるからである。同様に、本発明の第３および第４の態様によるシステムは、外部領域またはスペースに面する湾曲した表面を提示することが可能である。たとえば、システムは、複数のモジュールまたはフロント・フェイスを含むことが可能であり、複数のモジュールまたはフロント・フェイスは、外部領域またはスペースに面する平らな表面をそれぞれ有しており、ここで、個々のモジュールまたはフロント・フェイスは、互いに対して傾斜されている。また、システムは、外部領域またはスペースに面する湾曲した表面を備えたモジュールもしくはフロント・フェイス、または、その任意の組み合わせを含むことが可能である。
【０２０６】
参考文献
[1] Niels Werner Adelman-Larsen et al.: Suitable reverberation times for halls for rock and pop music, JASA, 2010, Vol. 127 and No.1
[2] Niels Werner Adelman-Larsen et al.: Investigation on acceptable reverberation times at various octave bands in halls that present amplified music; Elsevier, Allied Acoustics, Vol. 129, 2018.
[3] Leo L. Beranek, book: “Acoustics”, 1954.
[4] V. O. Knudsen; Cyril M. Harris, book: “Acoustical Design In Architecture”, 1958.
[5] M. D. Egan, book: “Architectural Acoustics”, 1988.
[6] L. I. Makrinenko, book: “Acoustics of Auditoriums in Public Buildings”, 1994.
[7] Marshall Long, book: “Architectural Acoustics”, 2006.
[8] N. W. Adelman-Larsen, book: Rock and pop venues, Acoustic and architectural design, Springer Verlag, 2014.
【図１】
2020520483.tif 000004
【図２】
2020520483.tif 000005
【図３（ａ）】
2020520483.tif 000006
【図３（ｂ）】
2020520483.tif 000007
【図４】
2020520483.tif 000008
【図５】
2020520483.tif 000009
【図６】
2020520483.tif 000010
【図７】
2020520483.tif 000011
【図８】
2020520483.tif 000012
【図９】
2020520483.tif 000013
【図１０（ａ）】
2020520483.tif 000014
【図１０（ｂ）】
2020520483.tif 000015
【図１１】
2020520483.tif 000016
【図１２】
2020520483.tif 000017
【図１２（ｂ）】
2020520483.tif 000018
【図１３】
2020520483.tif 000019
【図１４】
2020520483.tif 000020
【図１５】
2020520483.tif 000021
【図１６】
2020520483.tif 000022
【図１７】
2020520483.tif 000023
【図１８】
2020520483.tif 000024
【図１９】
2020520483.tif 000025
【図２０】
2020520483.tif 000026
【図２１】
2020520483.tif 000027
【図２２】
2020520483.tif 000028
【図２３】
2020520483.tif 000029
【図２４（ａ）】
2020520483.tif 000030
【図２４（ｂ）】
2020520483.tif 000031
【図２５】
2020520483.tif 000032
【図２６】
2020520483.tif 000033
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
たとえば、多目的部屋などの部屋の壁部または天井などのような、境界部（１１）をカバーするように構成されている、可変の音響特性を有するモジュールであって、前記部屋では、それぞれの特定の使用にしたがって、前記部屋の前記音響特性、たとえば、前記残響時間などを変化させることが可能でなければならず、前記モジュールは、１つまたは複数の貫通開口部（６）を設けられたフロント・フェイス（４、５５、６１、６２、７０、７５、８７、１０３）を有しており、前記貫通開口部（６、１０４）を通って、音響エネルギーは、前記モジュールの内側領域（３）に進入することが可能であり、前記モジュールは、前記内側領域（３）の中に、音響吸収デバイス（１２；３８、３９、９５）を含み、前記音響吸収デバイス（１２；３８、３９、９５）は、前記フロント・フェイス（４、５５、６１、６２、７０、７５、８７、１０３）の中の前記貫通開口部（６、１０４）と音響的に連通しており、音響エネルギーが、前記モジュールの外側の外部領域またはスペース（７）から前記音響吸収デバイス（１２；３８、３９、９５）へ通ることができるようになっており、前記貫通開口部（６、１０４）は閉鎖され得り、音響エネルギーが前記貫通開口部を介して前記音響吸収デバイス（１２；３８、３９、９５）に進入することができないようになっており、また、前記貫通開口部（６、１０４）は開放され得り、音響エネルギーが前記貫通開口部（６、１０４）を介して前記音響吸収デバイス（１２；３８、３９、９５）に進入することができるようになっており、前記フロント・フェイス（４、５５、６１、６２、７０、７５、８７、１０３）は、閉鎖部材（１０７）およびリテイニング・メカニズムを含む開／閉メカニズムを設けられており、前記リテイニング・メカニズムは、前記モジュールが閉鎖状態になっているときに、前記閉鎖部材を実質的に前記貫通開口部の周囲部全体と接触した状態に維持するように構成されている、モジュールにおいて、
−  前記開／閉メカニズムは、前記フロント・フェイス（４、５５、６１、６２、７０、７５、８７、１０３）の前記外部表面またはフロント表面を維持するように構成されており、前記外部表面またはフロント表面は、前記開／閉メカニズムのすべての状態において、変更のない状態で前記外部領域またはスペース（７）に面しており、それによって、前記開／閉メカニズムの任意の状態において前記開／閉メカニズムが前記被覆シートと干渉することなく、前記フロント・フェイス（４、５５、６１、６２、７０、７５、８７、１０３）の前記外側表面の上に、または、前記フロント・フェイス（４、５５、６１、６２、７０、７５、８７、１０３）の前記外側表面の付近に、被覆シートを取り付けることが可能になっており、
−  前記開／閉メカニズムは、前記貫通開口部（６、１０４）の実質的に音響的に緊密な閉鎖を取得するように構成されており、前記メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、モジュール。
【請求項２】
前記開／閉メカニズムは、前記フロント・フェイスの平らな外部表面またはフロント表面を維持するように構成されており、前記外部表面またはフロント表面は、前記開／閉メカニズムのすべての状態において、前記外部領域またはスペース（７）に面しており、それによって、前記フロント・フェイスの前記外側表面の上に、または、前記フロント・フェイスの前記外側表面の付近に、被覆シートを取り付けることが可能になっている、請求項１に記載のモジュール。
【請求項３】
前記リテイニング・メカニズムは、前記貫通開口部の縁部部分に沿って設けられている、請求項１に記載のモジュール。
【請求項４】
前記リテイニング・メカニズムは、実質的に前記貫通開口部の前記縁部部分の全体に沿って延在している、請求項３に記載のモジュール。
【請求項５】
前記フロント・フェイスは、複数の前記貫通開口部（６）を設けられており、複数の前記貫通開口部（６）は、前記フロント・フェイスにわたって、長手方向にまたは横断方向に、平行に延在している、請求項１から４のいずれか一項に記載のモジュール。
【請求項６】
前記貫通開口部（６）のそれぞれは、個々の開／閉メカニズムを設けられており、前記モジュールの前記個々の開／閉メカニズムのすべては、共通の駆動手段によって動作させられる、請求項５に記載のモジュール。
【請求項７】
前記貫通開口部（６）は、実質的に前記フロント・フェイスの長手方向のまたは横断方向の延在の全体にわたって延在している、請求項５または６に記載のモジュール。
【請求項８】
前記外部領域またはスペース（７）に面する前記フロント・フェイス（４）の前記外部表面またはフロント表面は、被覆シート（８）によってカバーされており、前記被覆シート（８）は、前記貫通開口部（６）が前記開放状態になっているときに、音響エネルギーが前記シート（８）を通っておよび前記貫通開口部（６）を通って前記音響吸収デバイス（１２；３８、３９）に進入することが可能であるように構成されている、請求項１に記載のモジュール。
【請求項９】
前記被覆シート（８）は、少なくとも前記フロント・フェイス（４）の中の前記貫通開口部（６）をカバーする前記被覆シート（８）の領域に穿孔を設けられた化粧板またはフォイルから作製されている、請求項８に記載のモジュール。
【請求項１０】
前記被覆シート（８）は、少なくとも低い周波数において実質的に音響透過性のファブリックである、請求項８に記載のモジュール。
【請求項１１】
中間シートまたはパネルが、前記フロント・フェイス（４）と前記被覆シート（８）との間に設けられており、前記中間シートまたはパネルは、少なくとも、前記モジュールが前記開放状態になっているときに音響吸収が望まれる低周波数領域において、少なくとも、前記フロント・フェイス（４）の中の前記貫通開口部（６）に対応する前記中間シートまたはパネルの領域において、音響的に透過性になっている、請求項８から１０のいずれか一項に記載のモジュール。
【請求項１２】
前記モジュールは、開／閉メカニズムを含み、前記開／閉メカニズムは、前記貫通開口部（６）の実質的に音響的に緊密な閉鎖を取得するように構成されており、前記メカニズムは、第１および第２の閉鎖面を含み、前記メカニズムは、前記第１および第２の閉鎖面が互いに接触しているときに、前記貫通開口部（６）を閉鎖し、前記第１および第２の接触面が互いに接触していないときに、前記貫通開口部（６）を開放するように構成されている、請求項１から１１のいずれか一項に記載のモジュール。
【請求項１３】
前記第１の閉鎖面または前記第２の閉鎖面のうちの少なくとも１つは、磁気的な手段を設けられており、前記磁気的な手段は、前記メカニズムが前記閉鎖状態に持って行かれるときには、前記第１の閉鎖面を前記第２の閉鎖面に付勢するように構成されている、請求項１２に記載のモジュール。
【請求項１４】
前記第１の閉鎖面は、永久磁石材料を含み、前記第２の閉鎖面は、前記第１の閉鎖面の前記磁気材料によって引き付けられ得る材料から作製されている、請求項１３に記載のモジュール。
【請求項１５】
前記第１の接触面は、電磁石を設けられており、前記第２の接触面は、前記第１の接触面の前記電磁石によって引き付けられ得る材料から作製されている、請求項１３に記載のモジュール。
【請求項１６】
開閉するための前記手段は、アクチュエーターまたはモーター手段（１８、１９）を含み、前記アクチュエーターまたはモーター手段（１８、１９）は、前記貫通開口部（６）を開閉するための手段（９、１５、１６、１７）に動作可能に接続されており、前記アクチュエーターまたはモーター手段（１８、１９）は、ユーザー・インターフェース（３２）からユーザーによって遠隔制御され得る、請求項１から１５のいずれか一項に記載のモジュール。
【請求項１７】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・プレート（５５）は、前記第２の閉鎖面（５５’）を設けられている、請求項１に記載のモジュール。
【請求項１８】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項１７に記載のモジュール。
【請求項１９】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項１８に記載のモジュール。
【請求項２０】
前記枢動軸棒（５９）の反対側の縁部部分において、または、前記枢動軸棒における縁部部分において、前記第１の閉鎖面は、弾性リテイニング手段を設けられており、前記弾性リテイニング手段は、機械的な過剰決定なしに、前記第１の閉鎖面に対して固定関係にある状態に前記第２の閉鎖面を維持するように構成されている、請求項１８に記載のモジュール。
【請求項２１】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項１２に記載のモジュール。
【請求項２２】
前記スライディング・プレート部材（６３）は、前記移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記移動（Ｂ）の方向に対して垂直方向に延在しており、前記スライディング・プレート部材（６３）の１つのレッグ部分（６３’）が、前記フロント・プレートの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記第１のレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応する前記レッグ部分（６２’）と実質的に接触しており、それによって、前記フロント・フェイス（６１、６２）の中の前記貫通開口部（６）が、実質的に閉鎖されている、請求項２１に記載のモジュール。
【請求項２３】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項２１または２２に記載のモジュール。
【請求項２４】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項１２に記載のモジュール。
【請求項２５】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項２４に記載のモジュール。
【請求項２６】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項２５に記載のモジュール。
【請求項２７】
前記開／閉手段は、前記開放状態と前記閉鎖状態との間で前記開／閉メカニズムを移動させるように構成されているアクチュエーター手段または他の適切な手段、たとえば、電気モーターなどを含む、請求項１２から２７のいずれか一項に記載のモジュール。
【請求項２８】
前記音響吸収デバイス（１２；３８、３９）は、好ましくは、少なくとも１０００Ｈｚを下回る周波数において、中間周波数音響エネルギーおよび低周波数音響エネルギーを吸収するように構成されている、請求項１から２７のいずれか一項に記載のモジュール。
【請求項２９】
前記フロント・フェイス（８７）は、前記フロント・フェイス（８７）の一体部として設けられた複数の貫通開口部（８８）を含む、請求項１から２８のいずれか一項に記載のモジュール。
【請求項３０】
前記フロント・フェイス（８７）は、磁力によって引き付けられ得る材料から作製されている、請求項２９に記載のモジュール。
【請求項３１】
前記フロント・フェイスは、スチールなどのような金属から作製されている、請求項２９または３０に記載のモジュール。
【請求項３２】
前記フロント・フェイス（８７）の厚さｔは、４ｍｍよりも小さくなっており、好ましくは、３ｍｍよりも小さくなっている、請求項２９から３１のいずれか一項に記載のモジュール。
【請求項３３】
前記フロント・フェイス（４）は、複数のスラット（５）を含み、前記貫通開口部（６）が、隣接するスラット（５）同士の間に設けられている、請求項１から３２のいずれか一項に記載のモジュール。
【請求項３４】
前記スラット（５）は、スチールなどのような金属から作製されている、請求項３３に記載のモジュール。
【請求項３５】
前記スラット（５）の厚さｔは、４ｍｍよりも小さくなっており、好ましくは、３ｍｍよりも小さくなっている、請求項３３または３４に記載のモジュール。
【請求項３６】
前記スラット（５）は、実質的に平面になっているフロント・フェイス（５’）を有している、請求項３３から３５のいずれか一項に記載のモジュール。
【請求項３７】
前記フロント・フェイス（４）は、取り付け手段を設けられており、前記取り付け手段は、前記シート（８）、前記中間シート、または、前記シート（８）を設けられたパネルを、前記モジュール（２）の前記フロント・フェイス（４）に取り付けるように構成されており、それによって、前記シート（８）、前記中間シート、または、前記シート（８）を設けられたパネルは、前記モジュール（２）が部屋またはホールの境界部の上に装着された後に、前記モジュール（２）に取り付けられ得る、請求項１から３６のいずれか一項に記載のモジュール。
【請求項３８】
前記フロント・フェイスとともに前記モジュールの前記内側領域を画定する前記モジュールの側面は、プレート・エレメント（９６、９７、９８、９９）によって閉鎖され、前記周囲（７）の中の音響的エネルギーが、前記開／閉メカニズムおよび前記音響吸収デバイス（１２）を含有する前記モジュールの前記内部スペース（３）に到達することを防止する、請求項１から３７のいずれか一項に記載のモジュール。
【請求項３９】
複数の貫通開口部を含むフロント・フェイスであって、前記貫通開口部が開放状態になっているときに、音響エネルギーが、前記貫通開口部を通過することが可能であり、前記フロント・フェイスは、前記貫通開口部を開閉するように構成されている開／閉メカニズムを設けられており、前記開／閉メカニズムは、閉鎖部材およびリテイニング・メカニズムを含み、前記リテイニング・メカニズムは、前記モジュールが閉鎖状態になっているときに、前記閉鎖部材を実質的に前記貫通開口部の周囲部全体と接触した状態に維持するように構成されている、フロント・フェイスにおいて、
−  前記開／閉メカニズムは、前記フロント・フェイス（４、５５、６１、６２、７０、７５、８７、１０３）の前記外部表面またはフロント表面を維持するように構成されており、前記外部表面またはフロント表面は、前記開／閉メカニズムのすべての状態において、変更のない状態で前記外部領域またはスペース（７）に面しており、それによって、前記開／閉メカニズムの任意の状態において前記開／閉メカニズムが前記被覆シートと干渉することなく、前記フロント・フェイス（４、５５、６１、６２、７０、７５、８７、１０３）の前記外側表面の上に、または、前記フロント・フェイス（４、５５、６１、６２、７０、７５、８７、１０３）の前記外側表面の付近に、被覆シートを取り付けることが可能になっており、
−  前記開／閉メカニズムは、前記貫通開口部（６、１０４）の実質的に音響的に緊密な閉鎖を取得するように構成されており、前記メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、フロント・フェイス。
【請求項４０】
前記開／閉メカニズムは、前記フロント・フェイスの前記外部表面またはフロント表面から離れる内向き方向に開くように構成されており、前記開／閉メカニズムのすべての状態において、前記外部領域またはスペース（７）に面する前記フロント・フェイスの平らなまたは切れ目のない外部表面を維持するようになっている、請求項３９に記載のフロント・フェイス。
【請求項４１】
前記リテイニング・メカニズムは、前記貫通開口部の縁部部分に沿って設けられている、請求項３９に記載のフロント・フェイス。
【請求項４２】
前記リテイニング・メカニズムは、実質的に前記貫通開口部の前記縁部部分の全体に沿って延在している、請求項４１に記載のフロント・フェイス。
【請求項４３】
前記フロント・フェイスは、複数の前記貫通開口部（６）を設けられており、複数の前記貫通開口部（６）は、前記フロント・フェイスにわたって、長手方向にまたは横断方向に、平行に延在している、請求項３９から４２のいずれか一項に記載のフロント・フェイス。
【請求項４４】
前記貫通開口部（６）のそれぞれは、個々の開／閉メカニズムを設けられており、前記モジュールの前記個々の開／閉メカニズムのすべては、共通の駆動手段によって動作させられる、請求項４３に記載のフロント・フェイス。
【請求項４５】
前記貫通開口部（６）は、実質的に前記フロント・フェイスの長手方向のまたは横断方向の延在の全体にわたって延在している、請求項４３または４４に記載のフロント・フェイス。
【請求項４６】
前記開／閉メカニズムは、前記貫通開口部（６）の実質的に音響的に緊密な閉鎖を取得するように構成されており、前記メカニズムは、第１および第２の閉鎖面を含み、前記メカニズムは、前記第１および第２の閉鎖面が互いに接触しているときに、前記貫通開口部（６）を閉鎖し、前記第１および第２の接触面が互いに接触していないときに、前記貫通開口部（６）を開放するように構成されている、請求項３９に記載のフロント・フェイス。
【請求項４７】
前記第１の閉鎖面または前記第２の閉鎖面のうちの少なくとも１つは、磁気的な手段を設けられており、前記磁気的な手段は、前記メカニズムが前記閉鎖状態に持って行かれるときには、前記第１の閉鎖面を前記第２の閉鎖面に付勢するように構成されている、請求項４６に記載のフロント・フェイス。
【請求項４８】
前記第１の閉鎖面は、永久磁石材料を含み、前記第２の閉鎖面は、前記第１の閉鎖面の前記磁気材料によって引き付けられ得る材料から作製されている、請求項４７に記載のフロント・フェイス。
【請求項４９】
前記第１の接触面は、電磁石を設けられており、前記第２の接触面は、前記第１の接触面の前記電磁石によって引き付けられ得る材料から作製されている、請求項４７に記載のフロント・フェイス。
【請求項５０】
開閉するための前記手段は、アクチュエーターまたはモーター手段（１８、１９）を含み、前記アクチュエーターまたはモーター手段（１８、１９）は、前記貫通開口部（６）を開閉するための手段（９、１５、１６、１７）に動作可能に接続されており、前記アクチュエーターまたはモーター手段（１８、１９）は、ユーザー・インターフェース（３２）からユーザーによって遠隔制御され得る、請求項３９から４９のいずれか一項に記載のフロント・フェイス。
【請求項５１】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・プレート（５５）は、前記第２の閉鎖面（５５’）を設けられている、請求項３９から５０のいずれか一項に記載のフロント・フェイス。
【請求項５２】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項５１に記載のフロント・フェイス。
【請求項５３】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項５１に記載のフロント・フェイス。
【請求項５４】
前記枢動軸棒（５９）の反対側の縁部部分において、前記第１の閉鎖面は、弾性リテイニング手段を設けられており、前記弾性リテイニング手段は、前記第１の閉鎖面に対して固定関係にある状態に前記第２の閉鎖面を維持するように構成されている、請求項５１に記載のフロント・フェイス。
【請求項５５】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項３９から５０のいずれか一項に記載のフロント・フェイス。
【請求項５６】
前記スライディング・プレート部材（６３）は、前記移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記移動（Ｂ）の方向に対して垂直方向に延在しており、前記スライディング・プレート部材（６３）の１つのレッグ部分（６３’）が、前記フロント・プレートの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記第１のレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応す前記るレッグ部分（６２’）と実質的に接触しており、それによって、前記フロント・フェイス（６１、６２）の中の前記貫通開口部（６）が、実質的に閉鎖されている、請求項５３に記載のフロント・フェイス。
【請求項５７】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項５３または５４に記載のフロント・フェイス。
【請求項５８】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項３９から５０のいずれか一項に記載のフロント・フェイス。
【請求項５９】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項５６に記載のフロント・フェイス。
【請求項６０】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項５６に記載のフロント・フェイス。
【請求項６１】
前記開／閉手段は、前記開放状態と前記閉鎖状態との間で前記開／閉メカニズムを移動させるように構成されているアクチュエーター手段を含む、請求項５６から５８のいずれか一項に記載のフロント・フェイス。
【請求項６２】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項１から３８のいずれか一項に記載の複数のモジュール（Ｍ１、Ｍ２、…Ｍ１０）を含み、個々の前記モジュール（Ｍ１、Ｍ２、…Ｍ１０）は、制御ユニット（３１）と通信しており、前記制御ユニット（３１）が、個々の前記モジュールの対応する開／閉メカニズムを制御することによって、それぞれの個々のモジュールの中の前記貫通開口部（６）の開／閉を制御することができるようになっている、システム。
【請求項６３】
前記システムは、前記制御ユニット（３１）と機能的に通信しているユーザー・インターフェース（３２）を含み、それによって、前記モジュールＭ１からＭ１０がその中に設けられている前記部屋の前記残響時間が、前記モジュールのそれぞれの個々を開／閉することによって、ユーザーによって制御され得る、請求項６２に記載のシステム。
【請求項６４】
前記システムは、電子メモリー（３７）を含み、それぞれの個々のモジュールの対応するセッティング（開／閉状態）が、たとえば、取得された前記残響時間が最適であるとみなされた性能の種類の説明とともに、前記電子メモリー（３７）の中に記憶され得る、請求項６２または６３に記載のシステム。［請求項３０］  照明手段が、前記貫通開口部の中に、または、前記音響吸収デバイスの内側に設けられており、前記照明手段によって放出される光が、前記システムがその中に据え付けられている前記部屋から見られ得るようになっており、それによって、前記システムの中で使用される個々の前記モジュールの状態を示す、請求項２７から２９のいずれか一項に記載のシステム。
【請求項６５】
前記システムは、少なくとも２つのモジュールを含み、それぞれの前記開／閉メカニズムは、互いに機能的に接続されており、単一のアクチュエーターが、前記開放状態と前記閉鎖状態との間で、前記少なくとも２つのモジュールの前記開／閉メカニズムを駆動することができるようになっている、請求項６２から６４のいずれか一項に記載のシステム。
【請求項６６】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項３９から６１のいずれか一項に記載の複数のフロント・フェイスを含み、前記システムは、前記フロント・フェイスの中の前記貫通開口部と音響的に連通している１つまたは複数の音響吸収デバイスをさらに含む、システム。
【請求項６７】
前記音響吸収デバイスは、たとえば、ミネラル・ウールまたは他の音響吸収多孔性の材料の１つまたは複数の音響吸収バットである、請求項６６に記載のシステム。
【請求項６８】
前記音響吸収デバイス、たとえば、ミネラル・ウールのバットなどは、部屋の選ばれた境界部の上に事前に据え付けられている、請求項６６または６７に記載のシステム。
【請求項６９】
少なくとも低い周波数において、部屋の前記残響時間を変更するための方法であって、前記残響時間が変更されているときに、それによって、前記部屋の外観を変化させることのないようになっており、前記方法は、
−  請求項１から２９のいずれか一項に記載の複数のモジュール、または、請求項４６から５１のいずれか一項に記載のシステムを提供するステップと、
−  前記モジュールまたはシステムを前記部屋の１つまたは複数の境界部に取り付けるステップと、
−  個々のモジュール、フロント・フェイス、または、モジュールもしくはフロント・フェイスのシステムの状態（開／閉）を変化させるステップ、および、前記部屋の対応する前記残響時間を決定するステップと、
−  必要とされる残響時間が取得されるときに、個々の前記モジュールの対応する前記状態（開／閉）を維持するステップと
を含む、方法。
【請求項７０】
前記方法は、前記部屋のそれぞれの特定の使用に対応する個々の前記モジュールの決定された前記セッティングをメモリー手段（３７）の中に記憶するステップをさらに含む、請求項６９に記載の方法。
【請求項７１】
音響エネルギー連通通路の実質的に音響不透過性の閉鎖を提供するための開／閉メカニズムであって、前記通路は、たとえば、部屋またはホールの可変の音響性、たとえば、残響時間などを提供するデバイスに、音響エネルギーを提供するように構成されており、前記音響エネルギー連通通路は、実質的に前記通路の断面の周囲部全体に沿って、第１の閉鎖面を設けられており、断面音響エネルギーは、前記通路が開放状態になっているときに、前記通路を通過し、前記開／閉メカニズムは、閉鎖部材を含み、前記閉鎖部材は、前記第１の閉鎖面と重なり合う関係になっている第２の閉鎖面を設けられており、前記第１および第２の閉鎖面が互いに実質的に接触した状態に持って行かれるときに、前記第１および第２の閉鎖面が、前記通路を閉鎖するようになっており、音響エネルギーが前記通路を通過することを実質的に防止されるようになっており、前記開／閉メカニズムは、閉鎖部材リテイニング手段を含み、前記閉鎖部材リテイニング手段は、前記第２の閉鎖面が前記第１の閉鎖面に対して移動することを実質的に防止する、開／閉メカニズムにおいて、
−  前記開／閉メカニズムは、前記貫通開口部（６、１０４）の実質的に音響的に緊密な閉鎖を取得するように構成されており、前記メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、開／閉メカニズム。
【請求項７２】
前記リテイニング・メカニズムは、前記貫通開口部の縁部部分に沿って設けられている、請求項７１に記載の開／閉メカニズム。
【請求項７３】
前記リテイニング・メカニズムは、実質的に前記貫通開口部の前記縁部部分の全体に沿って延在している、請求項７２に記載の開／閉メカニズム。
【請求項７４】
前記フロント・フェイスは、複数の前記貫通開口部（６）を設けられており、複数の前記貫通開口部（６）は、前記フロント・フェイスにわたって、長手方向にまたは横断方向に、平行に延在している、請求項７１から７３のいずれか一項に記載の開／閉メカニズム。
【請求項７５】
前記貫通開口部（６）のそれぞれは、個々の開／閉メカニズムを設けられており、前記モジュールの前記個々の開／閉メカニズムのすべては、共通の駆動手段によって動作させられる、請求項７１に記載の開／閉メカニズム。
【請求項７６】
前記貫通開口部（６）は、実質的に前記フロント・フェイスの長手方向のまたは横断方向の延在の全体にわたって延在している、請求項７４または７５に記載の開／閉メカニズム。
【請求項７７】
少なくとも前記第１の閉鎖面または前記第２の閉鎖面は、磁気的な手段（１０５）を設けられており、前記磁気的な手段（１０５）は、前記メカニズムが前記閉鎖状態に持って行かれるときに、前記第１の閉鎖面（１０３）を前記第２の閉鎖面（１０４）に付勢するように構成されている、請求項７１に記載の開／閉メカニズム。
【請求項７８】
前記第１の閉鎖面（１０３）は、永久磁石材料（１０５）を設けられており、前記第２の閉鎖面（１０４）は、前記第１の閉鎖面（１０３）の前記磁気材料（１０５）によって引き付けられ得る材料から作製されている、請求項７７に記載の開／閉手段。
【請求項７９】
前記第２の閉鎖面（１０４）は、永久磁石材料（１０５）を設けられており、前記第１の閉鎖面（１０３）が、前記第２の閉鎖面（１０４）の前記磁気材料（１０５）によって引き付けられ得る材料から作製されている、請求項７７または７８に記載の開／閉手段。
【請求項８０】
前記第１の閉鎖面（１０３）および前記第２の閉鎖面（１０４）の両方が、永久磁石材料（１０５）を設けられている、請求項７７から７９のいずれか一項に記載の開／閉手段。
【請求項８１】
前記磁気材料のうちの少なくとも１つは、電磁石である、請求項７１から８０のいずれか一項に記載の開／閉手段。
【請求項８２】
部屋の中の可変の音響的特質、たとえば、可変の音響吸収、音響反射、および残響時間（ＲＴ）などを提供するデバイスおよびシステムとともに使用するように構成されている開／閉メカニズムの実質的に音響的に緊密な閉鎖を確立するための磁気的な手段の使用。
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
たとえば、多目的部屋などの部屋の壁部または天井などのような、境界部（１１）をカバーするように構成されている、可変の音響特性を有するモジュールであって、前記部屋では、それぞれの特定の使用にしたがって、前記部屋の前記音響特性、たとえば、前記残響時間などを変化させることが可能でなければならず、前記モジュールは、１つまたは複数の貫通開口部（６）を設けられたフロント・フェイス（４、５５、６１、６２、７０、７５、８７、１０３）を有しており、前記貫通開口部（６、１０４）を通って、音響エネルギーは、前記モジュールの内側領域（３）に進入することが可能であり、前記モジュールは、前記内側領域（３）の中に、音響吸収デバイス（１２；３８、３９、９５）を含み、前記音響吸収デバイス（１２；３８、３９、９５）は、前記フロント・フェイス（４、５５、６１、６２、７０、７５、８７、１０３）の中の前記貫通開口部（６、１０４）と音響的に連通しており、音響エネルギーが、前記モジュールの外側の外部領域またはスペース（７）から前記音響吸収デバイス（１２；３８、３９、９５）へ通ることができるようになっており、前記貫通開口部（６、１０４）は閉鎖され得り、音響エネルギーが前記貫通開口部を介して前記音響吸収デバイス（１２；３８、３９、９５）に進入することができないようになっており、また、前記貫通開口部（６、１０４）は開放され得り、音響エネルギーが前記貫通開口部（６、１０４）を介して前記音響吸収デバイス（１２；３８、３９、９５）に進入することができるようになっており、前記フロント・フェイス（４、５５、６１、６２、７０、７５、８７、１０３）は、閉鎖部材（１０７）およびリテイニング・メカニズムを含む開／閉メカニズムを設けられており、前記リテイニング・メカニズムは、前記モジュールが閉鎖状態になっているときに、前記閉鎖部材を実質的に前記貫通開口部の周囲部全体と接触した状態に維持するように構成されている、モジュールにおいて、
−  前記開／閉メカニズムは、前記フロント・フェイス（４、５５、６１、６２、７０、７５、８７、１０３）の前記外部表面またはフロント表面を維持するように構成されており、前記外部表面またはフロント表面は、前記開／閉メカニズムのすべての状態において、変更のない状態で前記外部領域またはスペース（７）に面しており、それによって、前記開／閉メカニズムの任意の状態において前記開／閉メカニズムが前記被覆シートと干渉することなく、前記フロント・フェイス（４、５５、６１、６２、７０、７５、８７、１０３）の前記外部表面の上に、または、前記フロント・フェイス（４、５５、６１、６２、７０、７５、８７、１０３）の前記外部表面の付近に、被覆シートを取り付けることが可能になっており、
−  前記開／閉メカニズムは、前記貫通開口部（６、１０４）の実質的に音響的に緊密な閉鎖を取得するように構成されており、前記開／閉メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記開／閉メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、モジュール。
【請求項２】
前記開／閉メカニズムは、前記フロント・フェイスの平らな外部表面またはフロント表面を維持するように構成されており、前記外部表面またはフロント表面は、前記開／閉メカニズムのすべての状態において、前記外部領域またはスペース（７）に面しており、それによって、前記フロント・フェイスの前記外部表面の上に、または、前記フロント・フェイスの前記外部表面の付近に、被覆シートを取り付けることが可能になっている、請求項１に記載のモジュール。
【請求項３】
前記外部領域またはスペース（７）に面する前記フロント・フェイス（４）の前記外部表面またはフロント表面は、被覆シート（８）によってカバーされており、前記被覆シート（８）は、前記貫通開口部（６）が前記開放状態になっているときに、音響エネルギーが前記シート（８）を通っておよび前記貫通開口部（６）を通って前記音響吸収デバイス（１２；３８、３９）に進入することが可能であるように構成されている、請求項１に記載のモジュール。
【請求項４】
前記被覆シート（８）は、少なくとも前記フロント・フェイス（４）の中の前記貫通開口部（６）をカバーする前記被覆シート（８）の領域に穿孔を設けられた化粧板またはフォイルから作製されている、請求項３に記載のモジュール。
【請求項５】
中間シートまたはパネルが、前記フロント・フェイス（４）と前記被覆シート（８）との間に設けられており、前記中間シートまたはパネルは、少なくとも、前記モジュールが前記開放状態になっているときに音響吸収が望まれる低周波数領域において、少なくとも、前記フロント・フェイス（４）の中の前記貫通開口部（６）に対応する前記中間シートまたはパネルの領域において、音響的に透過性になっている、請求項３または４に記載のモジュール。
【請求項６】
前記モジュールは、開／閉メカニズムを含み、前記開／閉メカニズムは、前記貫通開口部（６）の実質的に音響的に緊密な閉鎖を取得するように構成されており、前記開／閉メカニズムは、第１および第２の閉鎖面を含み、前記開／閉メカニズムは、前記第１および第２の閉鎖面が互いに接触しているときに、前記貫通開口部（６）を閉鎖し、前記第１および第２の閉鎖面が互いに接触していないときに、前記貫通開口部（６）を開放するように構成されている、請求項１から５のいずれか一項に記載のモジュール。
【請求項７】
前記第１の閉鎖面または前記第２の閉鎖面のうちの少なくとも１つは、磁気的な手段を設けられており、前記磁気的な手段は、前記開／閉メカニズムが前記閉鎖状態に持って行かれるときには、前記第１の閉鎖面を前記第２の閉鎖面に付勢するように構成されている、請求項６に記載のモジュール。
【請求項８】
前記第１の閉鎖面は、永久磁石材料を含み、前記第２の閉鎖面は、前記第１の閉鎖面の前記磁気材料によって引き付けられ得る材料から作製されている、請求項７に記載のモジュール。
【請求項９】
前記第１の閉鎖面は、電磁石を設けられており、前記第２の閉鎖面は、前記第１の閉鎖面の前記電磁石によって引き付けられ得る材料から作製されている、請求項７に記載のモジュール。
【請求項１０】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・フェイス（５５）は、前記第２の閉鎖面（５５’）を設けられている、請求項１に記載のモジュール。
【請求項１１】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項１０に記載のモジュール。
【請求項１２】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項１１に記載のモジュール。
【請求項１３】
前記枢動軸棒（５９）の反対側の縁部部分において、または、前記枢動軸棒における縁部部分において、前記第１の閉鎖面は、弾性リテイニング手段を設けられており、前記弾性リテイニング手段は、機械的な過剰決定なしに、前記第１の閉鎖面に対して固定関係にある状態に前記第２の閉鎖面を維持するように構成されている、請求項１１に記載のモジュール。
【請求項１４】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項６に記載のモジュール。
【請求項１５】
前記スライディング・プレート部材（６３）は、前記スライディング移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記スライディング移動（Ｂ）の方向に対して垂直方向に延在しており、前記スライディング・プレート部材（６３）の１つのレッグ部分（６３’）が、前記フロント・フェイスの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記１つのレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応する前記レッグ部分（６２’）と実質的に接触しており、それによって、前記フロント・フェイス（６１、６２）の中の前記貫通開口部（６）が、実質的に閉鎖されている、請求項１４に記載のモジュール。
【請求項１６】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項１４または１５に記載のモジュール。
【請求項１７】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項６に記載のモジュール。
【請求項１８】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項１７に記載のモジュール。
【請求項１９】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項１８に記載のモジュール。
【請求項２０】
前記フロント・フェイス（８７）は、前記フロント・フェイス（８７）の一体部として設けられた複数の貫通開口部（８８）を含む、請求項１から１９のいずれか一項に記載のモジュール。
【請求項２１】
前記フロント・フェイス（８７）は、磁力によって引き付けられ得る材料から作製されている、請求項２０に記載のモジュール。
【請求項２２】
前記フロント・フェイス（４）は、複数のスラット（５）を含み、前記貫通開口部（６）が、隣接するスラット（５）同士の間に設けられている、請求項１から２１のいずれか一項に記載のモジュール。
【請求項２３】
前記スラット（５）は、スチールなどのような金属から作製されている、請求項２２に記載のモジュール。
【請求項２４】
前記フロント・フェイスとともに前記モジュールの前記内側領域を画定する前記モジュールの側面は、プレート・エレメント（９６、９７、９８、９９）によって閉鎖され、前記前記外部領域またはスペース（７）の中の音響的エネルギーが、前記開／閉メカニズムおよび前記音響吸収デバイス（１２）を含有する前記モジュールの前記内部スペース（３）に到達することを防止する、請求項１から２３のいずれか一項に記載のモジュール。
【請求項２５】
複数の貫通開口部を含むフロント・フェイスであって、前記貫通開口部が開放状態になっているときに、音響エネルギーが、前記貫通開口部を通過することが可能であり、前記フロント・フェイスは、前記貫通開口部を開閉するように構成されている開／閉メカニズムを設けられており、前記開／閉メカニズムは、閉鎖部材およびリテイニング・メカニズムを含み、前記リテイニング・メカニズムは、前記モジュールが閉鎖状態になっているときに、前記閉鎖部材を実質的に前記貫通開口部の周囲部全体と接触した状態に維持するように構成されている、フロント・フェイスにおいて、
−  前記開／閉メカニズムは、前記フロント・フェイス（４、５５、６１、６２、７０、７５、８７、１０３）の前記外部表面またはフロント表面を維持するように構成されており、前記外部表面またはフロント表面は、前記開／閉メカニズムのすべての状態において、変更のない状態で前記外部領域またはスペース（７）に面しており、それによって、前記開／閉メカニズムの任意の状態において前記開／閉メカニズムが前記被覆シートと干渉することなく、前記フロント・フェイス（４、５５、６１、６２、７０、７５、８７、１０３）の前記外部表面の上に、または、前記フロント・フェイス（４、５５、６１、６２、７０、７５、８７、１０３）の前記外部表面の付近に、被覆シートを取り付けることが可能になっており、
−  前記開／閉メカニズムは、前記貫通開口部（６、１０４）の実質的に音響的に緊密な閉鎖を取得するように構成されており、前記開／閉メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記開／閉メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、フロント・フェイス。
【請求項２６】
前記開／閉メカニズムは、前記フロント・フェイスの前記外部表面またはフロント表面から離れる内向き方向に開くように構成されており、前記開／閉メカニズムのすべての状態において、前記外部領域またはスペース（７）に面する前記フロント・フェイスの平らなまたは切れ目のない外部表面を維持するようになっている、請求項２５に記載のフロント・フェイス。
【請求項２７】
前記開／閉メカニズムは、前記貫通開口部（６）の実質的に音響的に緊密な閉鎖を取得するように構成されており、前記開／閉メカニズムは、第１および第２の閉鎖面を含み、前記開／閉メカニズムは、前記第１および第２の閉鎖面が互いに接触しているときに、前記貫通開口部（６）を閉鎖し、前記第１および第２の閉鎖面が互いに接触していないときに、前記貫通開口部（６）を開放するように構成されている、請求項２５に記載のフロント・フェイス。
【請求項２８】
前記第１の閉鎖面または前記第２の閉鎖面のうちの少なくとも１つは、磁気的な手段を設けられており、前記磁気的な手段は、前記開／閉メカニズムが前記閉鎖状態に持って行かれるときには、前記第１の閉鎖面を前記第２の閉鎖面に付勢するように構成されている、請求項２７に記載のフロント・フェイス。
【請求項２９】
前記第１の閉鎖面は、永久磁石材料を含み、前記第２の閉鎖面は、前記第１の閉鎖面の前記磁気材料によって引き付けられ得る材料から作製されている、請求項２８に記載のフロント・フェイス。
【請求項３０】
前記第１の閉鎖面は、電磁石を設けられており、前記第２の閉鎖面は、前記第１の閉鎖面の前記電磁石によって引き付けられ得る材料から作製されている、請求項２８に記載のフロント・フェイス。
【請求項３１】
前記開／閉メカニズムは、枢動可能に装着されたプレート部材（５６）を含み、前記プレート部材（５６）は、前記フロント・フェイス（５５）と固定関係になっている枢動軸棒（５９）の周りに枢動するように構成されており、前記プレート部材（５６）が閉鎖状態と開放状態との間で枢動することができるようになっており、前記閉鎖状態では、前記プレート部材（５６）が、前記フロント・フェイス（５５）の中の前記貫通開口部（６）を閉鎖しており、前記開放状態では、前記プレート部材（５６）が、前記貫通開口部（６）を閉鎖しておらず、前記プレート部材（５６）は、前記第１の閉鎖面（５６’）を設けられており、対応する部分の上の前記フロント・フェイス（５５）は、前記第２の閉鎖面（５５’）を設けられている、請求項２５から３０のいずれか一項に記載のフロント・フェイス。
【請求項３２】
前記プレート部材（５６）は、前記モジュールが閉鎖状態から開放状態へ変化するときに、前記モジュールの前記内部領域またはスペース（３）に向かう方向に、枢動軸棒（５９）の周りに枢動する、請求項３１に記載のフロント・フェイス。
【請求項３３】
前記閉鎖面（５６’、５５’）のうちの一方は、永久的な磁気材料（６０）、たとえば、磁気リボンなどを設けられており、他方の閉鎖面（５５’、５６’）は、対向する前記閉鎖面（５６’、５５’）の上に設けられた前記磁気材料（６０）からの磁力によって引き付けられ得る材料から作製されている、請求項３１に記載のフロント・フェイス。
【請求項３４】
前記枢動軸棒（５９）の反対側の縁部部分において、前記第１の閉鎖面は、弾性リテイニング手段を設けられており、前記弾性リテイニング手段は、前記第１の閉鎖面に対して固定関係にある状態に前記第２の閉鎖面を維持するように構成されている、請求項３１に記載のフロント・フェイス。
【請求項３５】
前記開／閉メカニズムは、スライディング・プレート部材（６３）を含み、前記スライディング・プレート部材（６３）は、前記フロント・フェイス（６１、６２）と実質的に平行のスライディング移動（Ｂ）のために装着されており、前記スライディング・プレート部材（６３）が、閉鎖状態と開放状態との間で移動することができるようになっており、前記閉鎖状態では、前記スライディング・プレート部材（６３）が、前記フロント・フェイス（６１、６２）の中の前記貫通開口部（６）を閉鎖しており、前記開放状態では、前記スライディング・プレート部材（６３）が、前記フロント・フェイス（６１、６２）の中の前記貫通開口部（６）を閉鎖していない、請求項２５から３０のいずれか一項に記載のフロント・フェイス。
【請求項３６】
前記スライディング・プレート部材（６３）は、前記スライディング移動（Ｂ）の方向における両側の縁部部分において、レッグ部分（６３’、６３”）を設けられており、前記スライディング・プレート部材（６３）が、概してＵ字形状を有するようになっており、前記フロント・フェイス（６１、６２）は、前記貫通開口部（６）の縁部において、対応するレッグ部分（６１’、６２’）を設けられており、前記貫通開口部（６）は、前記スライディング・プレート部材（６３）の前記スライディング移動（Ｂ）の方向に対して垂直方向に延在しており、前記スライディング・プレート部材（６３）の１つのレッグ部分（６３’）が、前記フロント・フェイスの１つのレッグ部分（６１’）に対応し、前記スライディング・プレート部材（６３）の他方のレッグ部分（６３”）が、前記フロント・フェイスの他方のレッグ部分（６２’）に対応するようになっており、前記開／閉メカニズムの前記閉鎖状態のときに、前記スライディング・プレート部材（６３）の前記１つのレッグ部分（６３’）は、前記フロント・フェイスの対応する前記レッグ部分（６１’）と実質的に接触しており、前記スライディング・プレート部材（６３）の他方のレッグ部分（６３”）は、前記フロント・フェイスの対応す前記るレッグ部分（６２’）と実質的に接触しており、それによって、前記フロント・フェイス（６１、６２）の中の前記貫通開口部（６）が、実質的に閉鎖されている、請求項３３に記載のフロント・フェイス。
【請求項３７】
前記スライディング・プレート部材（６３）の前記レッグ部分（６３’）のうちの一方は、磁気材料（６４）を設けられており、前記磁気材料（６４）は、前記フロント・フェイス（６１）の上の対応する前記レッグ部分（６１’）に向けて前記レッグ部分（６３’）を付勢するように構成されており、および／または、他方のレッグ部分（６３”）は、磁気材料（６５）を設けられており、前記磁気材料（６５）は、前記開／閉メカニズムが前記閉鎖状態に持って行かれるときに、前記フロント・フェイス（６２）の上の対応する前記他のレッグ部分（６２’）に向けて前記他方のレッグ部分（６３”）を付勢するように構成されている、請求項３３または３４に記載のフロント・フェイス。
【請求項３８】
前記開／閉メカニズムは、開／閉プレート部材（７１）を含み、前記開／閉プレート部材（７１）は、前記フロント・フェイス（７０）に対して実質的に垂直に延在しており、前記フロント・フェイス（７０）の中の前記貫通開口部（６）をカバーしており、重なり合う閉鎖面が、前記プレート部材（７１）の縁部部分と、前記貫通開口部（６）に隣接する前記フロント・フェイス（７０）の対応する縁部領域との間に形成されるようになっており、前記開／閉メカニズムは、アクチュエーター手段（７３、７４）を含み、前記アクチュエーター手段（７３、７４）は、前記プレート部材（７１）に接続されており、閉鎖状態と開放状態との間で、前記フロント・フェイス（７０）に対して実質的に垂直の方向に前記プレート部材（７１）を移動させるように構成されており、前記閉鎖状態では、前記プレート部材（７１）が、前記貫通開口部（６）を閉鎖しており、前記開放状態では、前記プレート部材（７１）が、前記貫通開口部（６）を閉鎖していない、請求項２５から３０のいずれか一項に記載のフロント・フェイス。
【請求項３９】
前記縁部部分における前記閉鎖面は、弾性リテイニング手段を設けられており、前記弾性リテイニング手段は、前記フロント・フェイスに対して固定関係にある状態に前記閉鎖面を維持するように構成されている、請求項３６に記載のフロント・フェイス。
【請求項４０】
重なり合う閉鎖領域もしくは対応する前記縁部領域のいずれか、または、これらの領域／部分の両方は、磁気的な手段（７２）を設けられており、前記磁気的な手段（７２）は、前記開／閉メカニズムが前記閉鎖状態になっているときに、重なり合う前記閉鎖領域を対応する前記縁部領域に向けて付勢するように構成されている、請求項３６に記載のフロント・フェイス。
【請求項４１】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項１から２４のいずれか一項に記載の複数のモジュール（Ｍ１、Ｍ２、…Ｍ１０）を含み、個々の前記モジュール（Ｍ１、Ｍ２、…Ｍ１０）は、制御ユニット（３１）と通信しており、前記制御ユニット（３１）が、個々の前記モジュールの対応する開／閉メカニズムを制御することによって、それぞれの個々のモジュールの中の前記貫通開口部（６）の開／閉を制御することができるようになっている、システム。
【請求項４２】
前記システムは、前記制御ユニット（３１）と機能的に通信しているユーザー・インターフェース（３２）を含み、それによって、前記モジュールＭ１からＭ１０がその中に設けられている前記部屋の前記残響時間が、前記モジュールのそれぞれの個々を開／閉することによって、ユーザーによって制御され得る、請求項４１に記載のシステム。
【請求項４３】
前記システムは、電子メモリー（３７）を含み、それぞれの個々のモジュールの対応するセッティング（開／閉状態）が、たとえば、取得された前記残響時間が最適であるとみなされた性能の種類の説明とともに、前記電子メモリー（３７）の中に記憶され得る、請求項４１または４２に記載のシステム。
【請求項４４】
照明手段が、前記貫通開口部の中に、または、前記音響吸収デバイスの内側に設けられており、前記照明手段によって放出される光が、前記システムがその中に据え付けられている前記部屋から見られ得るようになっており、それによって、前記システムの中で使用される個々の前記モジュールの状態を示す、請求項４１から４３のいずれか一項に記載のシステム。
【請求項４５】
前記システムは、少なくとも２つのモジュールを含み、それぞれの前記開／閉メカニズムは、互いに機能的に接続されており、単一のアクチュエーターが、前記開放状態と前記閉鎖状態との間で、前記少なくとも２つのモジュールの前記開／閉メカニズムを駆動することができるようになっている、請求項４１から４４のいずれか一項に記載のシステム。
【請求項４６】
たとえば、多目的部屋などの部屋の壁部または天井などのような、境界部（１１）をカバーするように構成されている、可変の音響特性を有するシステムであって、前記部屋では、それぞれの特定の使用にしたがって、前記部屋の前記音響特性、たとえば、前記残響時間などを変化させることが可能でなければならず、前記システムは、請求項２５から４０のいずれか一項に記載の複数のフロント・フェイスを含み、前記システムは、前記フロント・フェイスの中の前記貫通開口部と音響的に連通している１つまたは複数の音響吸収デバイスをさらに含む、システム。
【請求項４７】
前記音響吸収デバイスは、たとえば、ミネラル・ウールまたは他の音響吸収多孔性の材料の１つまたは複数の音響吸収バットである、請求項４６に記載のシステム。
【請求項４８】
前記音響吸収デバイス、たとえば、ミネラル・ウールのバットなどは、部屋の選ばれた境界部の上に事前に据え付けられている、請求項４６または４７に記載のシステム。
【請求項４９】
少なくとも低い周波数において、部屋の前記残響時間を変更するための方法であって、前記残響時間が変更されているときに、それによって、前記部屋の外観を変化させることのないようになっており、前記方法は、
−  請求項１から２４のいずれか一項に記載の複数のモジュール、または、請求項４１から４８のいずれか一項に記載のシステムを提供するステップと、
−  前記モジュールまたはシステムを前記部屋の１つまたは複数の境界部に取り付けるステップと、
−  個々のモジュール、フロント・フェイス、または、モジュールもしくはフロント・フェイスのシステムの状態（開／閉）を変化させるステップ、および、前記部屋の対応する前記残響時間を決定するステップと、
−  必要とされる残響時間が取得されるときに、個々の前記モジュールの対応する前記状態（開／閉）を維持するステップと
を含む、方法。
【請求項５０】
前記方法は、前記部屋のそれぞれの特定の使用に対応する個々の前記モジュールの決定された前記セッティングをメモリー手段（３７）の中に記憶するステップをさらに含む、請求項４９に記載の方法。
【請求項５１】
音響エネルギー連通通路の実質的に音響不透過性の閉鎖を提供するための開／閉メカニズムであって、前記通路は、たとえば、部屋またはホールの可変の音響性、たとえば、残響時間などを提供するデバイスに、音響エネルギーを提供するように構成されており、前記音響エネルギー連通通路は、実質的に前記通路の断面の周囲部全体に沿って、第１の閉鎖面を設けられており、断面音響エネルギーは、前記通路が開放状態になっているときに、前記通路を通過し、前記開／閉メカニズムは、閉鎖部材を含み、前記閉鎖部材は、前記第１の閉鎖面と重なり合う関係になっている第２の閉鎖面を設けられており、前記第１および第２の閉鎖面が互いに実質的に接触した状態に持って行かれるときに、前記第１および第２の閉鎖面が、前記通路を閉鎖するようになっており、音響エネルギーが前記通路を通過することを実質的に防止されるようになっており、前記開／閉メカニズムは、閉鎖部材リテイニング手段を含み、前記閉鎖部材リテイニング手段は、前記第２の閉鎖面が前記第１の閉鎖面に対して移動することを実質的に防止する、開／閉メカニズムにおいて、
−  前記開／閉メカニズムは、前記貫通開口部（６、１０４）の実質的に音響的に緊密な閉鎖を取得するように構成されており、前記開／閉メカニズムは、第１および第２の閉鎖領域（１０６、１１０）を含み、前記第１の閉鎖領域（１０６）は、前記フロント・フェイス（４、５５、６１、６２、７０、７５、８７、１０３）の上に設けられており、前記第２の閉鎖領域（１１０）は、前記閉鎖部材（１０７）の上に設けられており、前記開／閉メカニズムは、前記第１および第２の閉鎖領域（１０６、１１０）が互いに接触しているときに、前記貫通開口部（６、１０４）を閉鎖し、前記第１および第２の接触領域（１０６、１１０）が互いに接触していないときに、前記貫通開口部（６、１０４）を開放するように構成されており、前記貫通開口部（６、１０４）の前記実質的に音響的に緊密な閉鎖は、前記閉鎖部材（１０７）が前記フロント・フェイス（４、５５、６１、６２、７０、７５、８７、１０３）に対して実質的に垂直の方向への移動を経験することを防止する前記リテイニング手段によって取得されることを特徴とする、開／閉メカニズム。
【請求項５２】
前記リテイニング・メカニズムは、前記貫通開口部の縁部部分に沿って設けられている、請求項５１に記載の開／閉メカニズム。
【請求項５３】
前記リテイニング・メカニズムは、実質的に前記貫通開口部の前記縁部部分の全体に沿って延在している、請求項５２に記載の開／閉メカニズム。
【請求項５４】
少なくとも前記第１の閉鎖面または前記第２の閉鎖面は、磁気的な手段（１０５）を設けられており、前記磁気的な手段（１０５）は、前記開／閉メカニズムが前記閉鎖状態に持って行かれるときに、前記第１の閉鎖面（１０３）を前記第２の閉鎖面（１０４）に付勢するように構成されている、請求項５１に記載の開／閉メカニズム。
【請求項５５】
前記第１の閉鎖面（１０３）は、永久磁石材料（１０５）を設けられており、前記第２の閉鎖面（１０４）は、前記第１の閉鎖面（１０３）の前記磁気材料（１０５）によって引き付けられ得る材料から作製されている、請求項５４に記載の開／閉メカニズム。
【請求項５６】
前記第２の閉鎖面（１０４）は、永久磁石材料（１０５）を設けられており、前記第１の閉鎖面（１０３）が、前記第２の閉鎖面（１０４）の前記磁気材料（１０５）によって引き付けられ得る材料から作製されている、請求項５４または５５に記載の開／閉メカニズム。
【請求項５７】
前記第１の閉鎖面（１０３）および前記第２の閉鎖面（１０４）の両方が、永久磁石材料（１０５）を設けられている、請求項５４から５６のいずれか一項に記載の開／閉メカニズム。
【請求項５８】
前記磁気材料のうちの少なくとも１つは、電磁石である、請求項５１から５７のいずれか一項に記載の開／閉メカニズム。
【請求項５９】
部屋の中の可変の音響的特質、たとえば、可変の音響吸収、音響反射、および残響時間（ＲＴ）などを提供するデバイスおよびシステムとともに使用するように構成されている開／閉メカニズムの実質的に音響的に緊密な閉鎖を確立するための磁気的な手段の使用。
【国際調査報告】
2020520483.tif 000034
2020520483.tif 000035
2020520483.tif 000036